(57)【要約】【課題】被検体内の画像の観察を妨げることなく、表示領域に表示された被検体内の出血部位等の病変画像を容易に特定できること。【解決手段】本発明にかかる画像表示装置は、表示部１２および制御部１５を有する。表示部１２は、被検体内の画像群ＰＧ内の画像を表示する主表示領域１００と、画像群ＰＧ内の各画像の時間的な位置を示すタイムバー１１０と、主表示領域１００に現に表示される現表示画像の時間的な位置を示すスライダ１１１とを有する。制御部１５は、画像群ＰＧ内の病変画像を検出し、主表示領域１００に画像群ＰＧ内の各画像を表示するとともにスライダ１１１をデフォルト色で表示する制御を行い、病変画像が現表示画像である場合、この病変画像の時間的な位置を示すスライダ１１１のデフォルト色をこの病変画像の示す病変に対応する病変色に変更する制御を行う。【選択図】        図２
2008036028.tif 000002
【特許請求の範囲】
【請求項１】
時系列に沿って被検体内を撮像した画像群内の画像を表示する画像表示領域と、
前記画像群内の各画像の時間的な位置を示すタイムバーと、
前記画像表示領域に現に表示される現表示画像の前記タイムバー上の時間的な位置を示すスライダと、
前記画像群に含まれる１以上の病変画像を検出し、前記画像表示領域に前記画像群内の各画像を表示するとともに前記スライダを初期設定色で表示する制御を行い、前記病変画像が前記現表示画像である場合、前記病変画像の時間的な位置を示す前記スライダの初期設定色を前記病変画像の示す病変に対応する病変色に変更する制御を行う制御手段と、
を備えたことを特徴とする画像表示装置。
【請求項２】
１以上の前記病変画像の時間的な位置を示す１以上の病変マークを前記病変画像の示す病変に対応する病変色で表示するマーク表示領域を備え、
前記制御手段は、前記スライダの病変色を前記病変マークと同じ病変色にすることを特徴とする請求項１に記載の画像表示装置。
【請求項３】
前記病変画像は、複数であり、
前記制御手段は、前記病変画像の時間的な位置を示す前記スライダの病変色を前記病変画像の示す病変別に変更する制御を行うことを特徴とする請求項１または２に記載の画像表示装置。
【請求項４】
複数の病変の中から１以上の前記病変画像の示す病変を選択する病変選択手段を備え、
前記制御手段は、前記病変選択手段によって選択された病変の部位を被写体に含む１以上の前記病変画像の前記病変マークを前記マーク表示領域に表示する制御を行うことを特徴とする請求項２または３に記載の画像表示装置。
【請求項５】
前記制御手段は、前記病変選択手段によって選択された病変の部位を被写体に含む前記病変画像が前記現表示画像である場合、前記スライダの初期設定色を前記選択された病変に対応する病変色に変更する制御を行うことを特徴とする請求項４に記載の画像表示装置。
【請求項６】
通常再生モードまたは病変再生モードのいずれかを選択するモード選択手段を備え、
前記制御手段は、前記通常再生モードが選択された場合、前記画像群内の各画像を前記画像表示領域に表示する制御を行い、前記病変再生モードが選択された場合、前記画像群の中から１以上の前記病変画像を抽出し、抽出した１以上の前記病変画像を前記画像表示領域に表示する制御を行うことを特徴とする請求項１〜５のいずれか一つに記載の画像表示装置。
【請求項７】
前記制御手段は、前記病変再生モードが選択された場合、前記病変選択手段によって選択された病変の部位を被写体に含む１以上の前記病変画像を前記画像表示領域に表示する制御を行うことを特徴とする請求項６に記載の画像表示装置。
【請求項８】
時系列に沿って被検体内を撮像した画像群内の画像を表示する画像表示領域と、
前記画像群に含まれる複数の病変画像の時間的な位置を示す複数の病変マークを表示するマーク表示領域と、
前記画像群に含まれる複数の病変画像を検出し、検出した複数の前記病変画像の時間的な位置をそれぞれ示す複数の前記病変マークを病変毎に異なる色で表示する制御を行う制御手段と、
を備えたことを特徴とする画像表示装置。
【請求項９】
複数の病変の中から前記病変画像の示す病変を選択する病変選択手段を備え、
前記制御手段は、前記病変選択手段によって選択された病変の部位を被写体に含む複数の前記病変画像の時間的な位置をそれぞれ示す複数の前記病変マークを前記選択された病変毎に異なる色で表示する制御を行うことを特徴とする請求項８に記載の画像表示装置。
【請求項１０】
通常再生モードまたは病変再生モードのいずれかを選択するモード選択手段を備え、
前記制御手段は、前記通常再生モードが選択された場合、前記画像群内の各画像を前記画像表示領域に表示する制御を行い、前記病変再生モードが選択された場合、前記画像群の中から複数の前記病変画像を抽出し、抽出した複数の前記病変画像を前記画像表示領域に表示する制御を行うことを特徴とする請求項８または９に記載の画像表示装置。
【請求項１１】
前記制御手段は、前記病変再生モードが選択された場合、前記病変選択手段によって選択された病変の部位を被写体に含む複数の前記病変画像を前記画像表示領域に表示する制御を行うことを特徴とする請求項１０に記載の画像表示装置。
【発明の詳細な説明】
【技術分野】
【０００１】
この発明は、時系列に沿って撮像した被検体内の画像群に含まれる各画像を表示する画像表示装置に関するものである。
【背景技術】
【０００２】
従来から、内視鏡分野においては、撮像機能と無線通信機能とを備えた飲込み型のカプセル型内視鏡が提案され、このようなカプセル型内視鏡を用いて被検体内の画像を取得する被検体内情報取得システムが開発されている。カプセル型内視鏡は、観察（検査）のために被検体の口から飲込まれた後、自然排出されるまでの間、胃や小腸等の臓器の内部をその蠕動運動に従って移動するとともに、例えば０．５秒間隔で被検体内の画像を順次撮像する。
【０００３】
カプセル型内視鏡が被検体内を移動する間、このカプセル型内視鏡によって撮像された画像は、順次無線通信によって外部の受信装置に送信される。受信装置は、無線通信機能とメモリ機能とを有し、被検体内のカプセル型内視鏡から受信した画像をメモリに順次保存する。被検体は、かかる受信装置を携帯することによって、カプセル型内視鏡を飲込んでから自然排出するまでの間に亘り、自由に行動できる。カプセル型内視鏡が被検体から自然排出された後、医師または看護師等のユーザにおいては、受信装置のメモリに蓄積された画像を画像表示装置に取り込ませ、被検体内の臓器の画像を画像表示装置に表示させて被検体の診断を行うことができる（例えば、特許文献１参照）。
【０００４】
このような被検体内情報取得システムの画像表示装置は、カプセル型内視鏡によって撮像された被検体内の画像群に含まれる各画像を所定の表示領域に順次表示する。これと同時に、画像表示装置は、かかる被検体内の画像群の時間的な長さを示すタイムバーとこのタイムバーに沿って移動するスライダとを表示し、この表示領域に現に表示している被検体内の画像の時間的な位置を示す。
【０００５】
このような画像表示装置として、被検体内の画像群に含まれる各画像の色情報を取得し、取得した色情報をもとに、この被検体内の画像群に含まれる出血部位の画像を抽出し、この出血部位の画像の時間的な位置を示すマークをタイムバーに付するものがある（例えば、特許文献２参照）。また、被検体内の画像群の中から抽出した出血部位の画像を表示領域に表示するとともに、この出血部位の画像の近傍に所定のマークを表示し、現に表示領域に表示している画像が出血部位の画像である旨を医師または看護師等のユーザに知らせる画像表示装置もある。
【０００６】
【特許文献１】特開２００３−１９１１１号公報
【特許文献２】特開２００４−３３７５９６号公報
【発明の開示】
【発明が解決しようとする課題】
【０００７】
しかしながら、上述した画像表示装置のタイムバーを形成するドット群内の１ドットは、被検体内の画像群のうちの部分的に連続する部分画像群を代表するため、かかるタイムバーに付されたマークは、出血部位の画像を含む被検体内の部分画像群を代表する画像の時間的な位置を示すに過ぎない。このため、かかるタイムバーに付されたマークの位置にスライダを移動させた場合に表示領域に表示される部分画像群のいずれが出血部位の画像であるかを特定し難いという問題点があった。
【０００８】
また、かかる表示領域に現に表示している出血部位の画像の近傍に、出血部位の画像である旨を示すマークを追加表示した場合、このマークが医師または看護師等のユーザの視野に入るとともにちらつくため、かかる表示領域に表示された被検体内の画像の観察を妨げる虞があった。
【０００９】
本発明は、上記事情に鑑みてなされたものであって、被検体内の画像の観察を妨げることなく、表示領域に表示された被検体内の出血部位等の病変画像を容易に特定できる画像表示装置を提供することを目的とする。
【課題を解決するための手段】
【００１０】
上述した課題を解決し、目的を達成するために、請求項１にかかる画像表示装置は、時系列に沿って被検体内を撮像した画像群内の画像を表示する画像表示領域と、前記画像群内の各画像の時間的な位置を示すタイムバーと、前記画像表示領域に現に表示される現表示画像の前記タイムバー上の時間的な位置を示すスライダと、前記画像群に含まれる１以上の病変画像を検出し、前記画像表示領域に前記画像群内の各画像を表示するとともに前記スライダを初期設定色で表示する制御を行い、前記病変画像が前記現表示画像である場合、前記病変画像の時間的な位置を示す前記スライダの初期設定色を前記病変画像の示す病変に対応する病変色に変更する制御を行う制御手段と、を備えたことを特徴とする。
【００１１】
また、請求項２にかかる画像表示装置は、上記の発明において、１以上の前記病変画像の時間的な位置を示す１以上の病変マークを前記病変画像の示す病変に対応する病変色で表示するマーク表示領域を備え、前記制御手段は、前記スライダの病変色を前記病変マークと同じ病変色にすることを特徴とする。
【００１２】
また、請求項３にかかる画像表示装置は、上記の発明において、前記病変画像は、複数であり、前記制御手段は、前記病変画像の時間的な位置を示す前記スライダの病変色を前記病変画像の示す病変別に変更する制御を行うことを特徴とする。
【００１３】
また、請求項４にかかる画像表示装置は、上記の発明において、複数の病変の中から１以上の前記病変画像の示す病変を選択する病変選択手段を備え、前記制御手段は、前記病変選択手段によって選択された病変の部位を被写体に含む１以上の前記病変画像の前記病変マークを前記マーク表示領域に表示する制御を行うことを特徴とする。
【００１４】
また、請求項５にかかる画像表示装置は、上記の発明において、前記制御手段は、前記病変選択手段によって選択された病変の部位を被写体に含む前記病変画像が前記現表示画像である場合、前記スライダの初期設定色を前記選択された病変に対応する病変色に変更する制御を行うことを特徴とする。
【００１５】
また、請求項６にかかる画像表示装置は、上記の発明において、通常再生モードまたは病変再生モードのいずれかを選択するモード選択手段を備え、前記制御手段は、前記通常再生モードが選択された場合、前記画像群内の各画像を前記画像表示領域に表示する制御を行い、前記病変再生モードが選択された場合、前記画像群の中から１以上の前記病変画像を抽出し、抽出した１以上の前記病変画像を前記画像表示領域に表示する制御を行うことを特徴とする。
【００１６】
また、請求項７にかかる画像表示装置は、上記の発明において、前記制御手段は、前記病変再生モードが選択された場合、前記病変選択手段によって選択された病変の部位を被写体に含む１以上の前記病変画像を前記画像表示領域に表示する制御を行うことを特徴とする。
【００１７】
また、請求項８にかかる画像表示装置は、時系列に沿って被検体内を撮像した画像群内の画像を表示する画像表示領域と、前記画像群に含まれる複数の病変画像の時間的な位置を示す複数の病変マークを表示するマーク表示領域と、前記画像群に含まれる複数の病変画像を検出し、検出した複数の前記病変画像の時間的な位置をそれぞれ示す複数の前記病変マークを病変毎に異なる色で表示する制御を行う制御手段と、を備えたことを特徴とする。
【００１８】
また、請求項９にかかる画像表示装置は、上記の発明において、複数の病変の中から前記病変画像の示す病変を選択する病変選択手段を備え、前記制御手段は、前記病変選択手段によって選択された病変の部位を被写体に含む複数の前記病変画像の時間的な位置をそれぞれ示す複数の前記病変マークを前記選択された病変毎に異なる色で表示する制御を行うことを特徴とする。
【００１９】
また、請求項１０にかかる画像表示装置は、上記の発明において、通常再生モードまたは病変再生モードのいずれかを選択するモード選択手段を備え、前記制御手段は、前記通常再生モードが選択された場合、前記画像群内の各画像を前記画像表示領域に表示する制御を行い、前記病変再生モードが選択された場合、前記画像群の中から複数の前記病変画像を抽出し、抽出した複数の前記病変画像を前記画像表示領域に表示する制御を行うことを特徴とする。
【００２０】
また、請求項１１にかかる画像表示装置は、上記の発明において、前記制御手段は、前記病変再生モードが選択された場合、前記病変選択手段によって選択された病変の部位を被写体に含む複数の前記病変画像を前記画像表示領域に表示する制御を行うことを特徴とする。
【発明の効果】
【００２１】
この発明によれば、現に表示領域に表示される被検体内の画像の時間的な位置を示すスライダの表示色を視認することによって、この被検体内の画像が病変画像であるか否かを容易に判断できる。この結果、現に表示領域に表示された被検体内の画像の観察を妨げることなく、かかる表示領域に順次表示された被検体内の画像群の中から出血部位等の病変画像を容易に特定可能な画像表示装置を実現できるという効果を奏する。
【発明を実施するための最良の形態】
【００２２】
以下、図面を参照して、本発明にかかる画像表示装置の好適な実施の形態を詳細に説明する。なお、この実施の形態によって本発明が限定されるものではない。
【００２３】
（実施の形態１）
図１は、本発明の実施の形態１にかかる画像表示装置を有する被検体内情報取得システムの一構成例を例示する模式図である。図１に示すように、本発明の実施の形態１にかかる被検体内情報取得システムは、被検体１内の画像を撮像するカプセル型内視鏡２と、カプセル型内視鏡２によって撮像された被検体１内の画像を受信する受信装置３と、受信装置３に受信された被検体１内の画像を表示する画像表示装置４と、かかる受信装置３と画像表示装置４との間のデータの受け渡しを行うための携帯型記録媒体５とを備える。
【００２４】
カプセル型内視鏡２は、被検体内の画像（具体的には臓器内部の画像）を撮像するためのものである。このようなカプセル型内視鏡２は、被検体１の内部に導入され、時系列に沿って被検体１内の画像を順次撮像する撮像機能と、撮像した被検体１内の画像群を外部の受信装置３に無線送信する無線通信機能とを有する。具体的には、カプセル型内視鏡２は、被検体１に飲込まれた後、この被検体１内の臓器の蠕動等によって、この被検体１の臓器内部を移動する。これと同時に、カプセル型内視鏡２は、所定間隔、例えば０．５秒間隔で被検体１内の画像を逐次撮像し、撮像した被検体１内の画像を含む無線信号を受信装置３に逐次送信する。
【００２５】
受信装置３は、例えば被検体１の体表上に分散配置された複数の受信アンテナ３ａ〜３ｈが接続され、かかる複数の受信アンテナ３ａ〜３ｈのいずれかを介してカプセル型内視鏡２からの無線信号を受信する。そして、受信装置３は、受信したカプセル型内視鏡２からの無線信号をもとに、被検体１内の画像群を取得する。また、受信装置３は、携帯型記録媒体５が着脱可能に挿着され、カプセル型内視鏡２によって撮像された被検体１内の画像群を携帯型記録媒体５に格納する。この場合、受信装置３は、かかる被検体１内の画像群に含まれる各画像の撮像時刻または受信時刻等を示す時間情報をこの画像群内の各画像に対応付けて携帯型記録媒体５に格納する。
【００２６】
受信アンテナ３ａ〜３ｈは、例えばループアンテナを用いて実現され、カプセル型内視鏡２によって送信された無線信号を受信する。受信アンテナ３ａ〜３ｈは、図１に示すように、被検体１の体表上の所定位置、例えば被検体１内におけるカプセル型内視鏡２の移動経路（すなわち消化管）に対応する位置に分散配置される。なお、受信アンテナ３ａ〜３ｈは、被検体１に着用させるジャケットの所定位置に分散配置されてもよい。この場合、受信アンテナ３ａ〜３ｈは、被検体１がこのジャケットを着用することによって、被検体１内におけるカプセル型内視鏡２の移動経路に対応する被検体１の体表上の所定位置に配置される。このような受信アンテナは、被検体１に対して１以上配置されればよく、その配置数は、特に８つに限定されない。
【００２７】
携帯型記録媒体５は、コンパクトフラッシュ（登録商標）等の携帯可能な記録メディアである。携帯型記録媒体５は、受信装置３および画像表示装置４に対して着脱可能であって、両者に対する挿着時にデータの出力および記録が可能な構造を有する。具体的には、携帯型記録媒体５は、受信装置３に挿着された場合、受信装置３に受信された被検体１内の画像群および各画像の時間情報等の各種データを逐次格納する。一方、携帯型記録媒体５は、画像表示装置４に挿着された場合、被検体１内の画像群および各画像の時間情報等の保存データを画像表示装置４に出力する。このようにして、かかる携帯型記録媒体５の保存データは、画像表示装置４に取り込まれる。また、携帯型記録媒体５は、カプセル型内視鏡２を導入する被検体１に関する患者情報等が画像表示装置４によって書き込まれる。
【００２８】
画像表示装置４は、カプセル型内視鏡２によって撮像された被検体１内の画像等を表示するためのものである。具体的には、画像表示装置４は、上述した携帯型記録媒体５の保存データを取り込むことによって、カプセル型内視鏡２によって撮像された被検体１内の画像群等の各種データを取得し、かかる被検体１内の画像群に含まれる各画像を表示するワークステーション等のような構成を有する。このような画像表示装置４は、医師または看護師等のユーザが被検体１内の画像を観察（検査）して被検体１を診断するための処理機能を有する。この場合、ユーザは、画像表示装置４に被検体１内の画像を順次表示させて被検体１内の生体部位、例えば食道、胃、小腸、および大腸等を観察（検査）し、これをもとに、被検体１を診断できる。
【００２９】
つぎに、本発明の実施の形態１にかかる画像表示装置４の構成について説明する。図２は、本発明の実施の形態１にかかる画像表示装置４の一構成例を模式的に示すブロック図である。図２に示すように、この実施の形態１にかかる画像表示装置４は、各種情報を入力する入力部１１と、被検体１内の画像およびＧＵＩ（Graphical User Interface）等を画面表示する表示部１２と、携帯型記録媒体５の保存データ（被検体１内の画像群等）を読み取るカードインターフェース（Ｉ／Ｆ）１３とを有する。また、画像表示装置４は、被検体１の画像群等の各種データを保存する記憶部１４と、画像表示装置４の各構成部を制御する制御部１５とを有する。
【００３０】
入力部１１は、キーボードおよびマウス等の入力デバイスを用いて実現され、ユーザによる入力操作によって、制御部１５に各種情報を入力する。例えば、入力部１１は、制御部１５に対して指示する各種指示情報、被検体１に関する患者情報等を制御部１５に入力する。なお、かかる入力部１１によって入力される患者情報は、例えば被検体１の患者名、性別、生年月日、および患者ＩＤ等である。
【００３１】
表示部１２は、ＣＲＴディスプレイまたは液晶ディスプレイ等の画像表示が可能なディスプレイを用いて実現され、制御部１５によって表示指示された各種情報等を表示する。具体的には、表示部１２は、被検体１を観察し診断するための各種情報、例えば、カプセル型内視鏡２によって撮像された被検体１内の画像群等を表示する。また、表示部１２は、かかる被検体１内の画像群に含まれる各画像の表示に関するＧＵＩを表示する。このような表示部１２は、かかる被検体１内の画像群に含まれる各画像を表示する主表示領域１００を有する。また、表示部１２は、被検体１内の画像群に含まれる各画像の時間的な位置を示すタイムバー１１０と、主表示領域１００に現に表示される被検体１内の画像（現表示画像）の時間的な位置を示すスライダ１１１とを有する。さらに、表示部１２は、かかる被検体１内の画像群に含まれる病変画像の時間的な位置を示す病変マークを表示するマーク表示領域１２０を有する。
【００３２】
カードＩ／Ｆ１３は、上述した携帯型記録媒体５が着脱可能に挿着され、かかる携帯型記録媒体５の保存データを読み取るとともに、得られた保存データを制御部１５に転送する。また、カードＩ／Ｆ１３は、挿着された携帯型記録媒体５に対し、制御部１５によって書き込み指示された情報、例えば被検体１の患者情報等を書き込む。
【００３３】
記憶部１４は、ＲＡＭ、ＥＥＰＲＯＭ、またはハードディスク等の大容量の記録媒体を用いて実現され、制御部１５によって書き込み指示された各種データ等を保存し、制御部１５によって読み出し指示された保存データを制御部１５に送信する。このような記憶部１４は、カプセル型内視鏡２によって撮像された被検体１内の画像群ＰＧと、表示部１２のマーク表示領域１２０に表示される病変マークの表示色とスライダ１１１の表示色とを設定するための表示色情報ＣＬ１と、被検体１の患者情報とを保存する。この場合、かかる記憶部１４に保存された画像群ＰＧ内の各画像には、撮像時刻または受信時刻等の時間情報がそれぞれ対応付けられる。
【００３４】
制御部１５は、画像表示装置４の各構成部を制御する。具体的には、制御部１５は、入力部１１、表示部１２、カードＩ／Ｆ１３、および記憶部１４をそれぞれ制御し、かかる各構成部間の情報の入出力を制御する。このような制御部１５は、カードＩ／Ｆ１３に挿着された携帯型記録媒体５から、被検体１内の画像群ＰＧと、この画像群ＰＧ内の各画像に対応付けられた時間情報とを取得する。制御部１５は、かかる被検体１内の画像群ＰＧと時間情報とを画像毎に対応付けて記憶部１４に保存する。制御部１５は、入力部１１によって入力された指示情報に基づいて、かかる被検体１内の画像群に含まれる各画像を表示部１２の主表示領域１００に表示させる。
【００３５】
このような制御部１５は、表示制御部１５ａと病変検出部１５ｂとを有する。表示制御部１５ａは、記憶部１４に保存された被検体１内の画像群ＰＧに含まれる各画像を表示部１２の主表示領域１００に表示する制御を行う。この場合、かかる画像群ＰＧ内に病変画像が含まれていれば、表示制御部１５ａは、かかる被検体１内の病変画像を表示部１２の主表示領域１００に表示する制御を行う。また、表示制御部１５ａは、かかる画像群ＰＧ内の病変画像の時間的な位置を示す病変マークを表示部１２のマーク表示領域１２０に表示する制御を行う。この場合、表示制御部１５ａは、記憶部１４に保存された表示色情報ＣＬ１によって設定される病変色で病変マークを表示する制御を行う。
【００３６】
また、表示制御部１５ａは、記憶部１４に保存された表示色情報ＣＬ１をもとに、表示部１２のスライダ１１１の表示色を制御する。具体的には、表示制御部１５ａは、主表示領域１００に現に表示される現表示画像が被検体１の正常な臓器の画像（すなわち病変が見られない被検体１内の画像）である場合、この現表示画像の時間的な位置を示すスライダ１１１をデフォルト色で表示する制御を行う。一方、表示制御部１５ａは、主表示領域１００に現に表示される現表示画像が被検体１の病変画像である場合、この病変画像の時間的な位置を示すスライダ１１１の表示色をデフォルト色から病変色に変更する制御を行う。
【００３７】
なお、ここでいう病変画像は、出血等の病変の部位を被写体に含む被検体１内の画像である。また、上述したスライダ１１１のデフォルト色は、スライダ１１１の表示色として初期的に設定される色（例えば灰色等）であり、上述したスライダ１１１および病変マークの病変色は、被検体１内の病変画像に示される病変に対応する色であってデフォルト色と異なるものである。例えば、かかる病変画像が出血部位の画像（以下、出血画像という）である場合、この病変の一種である出血部位に対応する病変色として赤色が設定される。このようなデフォルト色および病変色は、記憶部１４に保存された表示色情報ＣＬ１によって設定される。
【００３８】
病変検出部１５ｂは、被検体１内の画像群ＰＧに含まれる病変画像を検出する。具体的には、病変検出部１５ｂは、被検体１内の画像群ＰＧに含まれる処理対象の画像の色情報を検出し、検出した画像の色情報をもとに、この処理対象の画像が病変画像であるか否かを判断する。なお、かかる病変検出部１５ｂによって検出される画像の色情報として、例えば、画像の平均色、画像を形成する赤（Ｒ）、緑（Ｇ）、青（Ｂ）の各色要素の値等が挙げられる。病変検出部１５ｂは、この処理対象の画像が病変画像であると判断した場合、この病変画像を画像群ＰＧの中から検出する。病変検出部１５ｂは、このような病変画像の検出処理を画像群ＰＧの全画像について実行し、この画像群ＰＧに含まれる病変画像を検出する。病変検出部１５ｂは、この画像群ＰＧ内の病変画像を検出した場合、病変画像である旨を示すサイン（病変フラグ）をこの検出した病変画像に付加する。かかる病変フラグが付加された病変画像は、画像群ＰＧの一部として記憶部１４に保存される。
【００３９】
つぎに、表示部１２の表示態様を具体的に例示し、表示部１２に表示されるＧＵＩと表示部１２の表示動作を制御する表示制御部１５ａの動作とを説明する。図３は、表示部１２の表示態様の一具体例を示す模式図である。表示制御部１５ａは、制御部１５によって所定のログイン処理が行われた場合、図３に示すようなウィンドウＷを表示部１２に表示させる。
【００４０】
図３に示すように、ウィンドウＷには、上述した主表示領域１００と、タイムバー１１０と、スライダ１１１と、マーク表示領域１２０とが形成される。また、ウィンドウＷには、主表示領域１００に被検体１内の画像を表示する際の各種表示操作を行うための表示操作アイコン群１３０と、主表示領域１００に表示された被検体１内の画像群の中から選択された所望画像の縮小画像を表示する副表示領域１４０と、副表示領域１４０に表示された複数の縮小画像のスクロール操作を行うためのスクロール操作部１４１とが形成される。その他、ウィンドウＷには、入力部１１の操作によって各種ＧＵＩのクリック操作またはドラッグ操作等を行うためのカーソルＫと、かかるウィンドウＷを閉じるためのＣｌｏｓｅアイコン１５０とが形成される。
【００４１】
主表示領域１００は、表示処理対象の被検体１内の画像群ＰＧに含まれる各画像を表示する画像表示領域である。表示制御部１５ａは、入力部１１によって入力された指示情報に基づいて、かかる画像群ＰＧ内の各画像を主表示領域１００に表示する制御を行う。かかる表示制御部１５ａの制御によって、主表示領域１００は、かかる画像群ＰＧ内の画像Ｐn（フレーム番号ｎ＝１，２，３，…）を表示する。また、表示制御部１５ａは、かかる主表示領域１００内に、この主表示領域１００の現表示画像（例えば画像Ｐn）の撮像年月日および撮像時刻と、この被検体１の患者情報（患者名、患者ＩＤ、性別、生年月日）とを表示する制御を行う。
【００４２】
タイムバー１１０およびスライダ１１１は、主表示領域１００の現表示画像の時間的な位置を示すためのＧＵＩである。具体的には、タイムバー１１０は、被検体１内の画像群ＰＧの時間的な長さ（例えば画像群ＰＧの撮像開始からの経過時間）を示す時間スケールが付され、かかる時間スケールによって画像群ＰＧ内の各画像の時間的な位置を示す。スライダ１１１は、かかるタイムバー１１０に沿って移動し、主表示領域１００の現表示画像に対応するタイムバー１１０上の時間的な位置を示す。かかるスライダ１１１の移動は、表示制御部１５ａによって制御される。すなわち、表示制御部１５ａは、スライダ１１１が主表示領域１００の現表示画像（被検体１内の画像）の時間的な位置を常時示すように、かかるタイムバー１１０上におけるスライダ１１１の移動と主表示領域１００の現表示画像の表示切替動作とを制御する。
【００４３】
マーク表示領域１２０は、上述したように、被検体１内の画像群ＰＧに含まれる病変画像の時間的な位置を示す病変マークを表示する。具体的には、マーク表示領域１２０は、上述したタイムバー１１０に沿ってバー状に形成され、表示制御部１５ａの制御に基づいて上述した病変色の病変マークを表示する。例えば、出血部位を被写体に含む出血画像（病変画像の一種）が被検体１内の画像群ＰＧ内に複数含まれる場合、表示制御部１５ａは、かかる複数の出血画像にそれぞれ対応するマーク表示領域１２０内の時間的な各位置に、出血部位に対応する病変色（例えば赤色）の病変マーク１２０ａ，１２０ｂをそれぞれ表示する制御を行う。かかる病変マーク１２０ａ，１２０ｂは、被検体１内の画像群に含まれる複数の出血画像の時間的な位置をそれぞれ示す。
【００４４】
ここで、主表示領域１００の現表示画像（被検体１内の画像Ｐn）が出血部位ＢＬを被写体に含む出血画像である場合、スライダ１１１は、かかる出血画像の時間的な位置を示す病変マーク１２０ａの位置に移動するとともに、その表示色をデフォルト色から病変色に変化する。この場合、かかる出血画像の時間的な位置を示す病変マーク１２０ａおよびスライダ１１１は、出血部位に対応する病変色（例えば赤色）であって、互いに同色で表示される。
【００４５】
表示操作アイコン群１３０は、被検体１内の画像群ＰＧに含まれる各画像を主表示領域１００に表示する際の表示操作を行うためのＧＵＩである。かかる表示操作アイコン群１３０には、例えば、再生アイコン１３１と、コマ再生アイコン１３２と、頭出しアイコン１３３と、逆再生アイコン１３４と、逆コマ再生アイコン１３５と、逆頭出しアイコン１３６とが含まれる。入力部１１は、かかる表示操作アイコン群１３０のうちの所望のアイコンをクリック操作することによって、かかる所望のアイコンに対応する表示指示情報を制御部１５に入力する。表示制御部１５ａは、かかる入力部１１によって入力された表示指示情報に基づいて、画像群ＰＧ内の画像Ｐnを主表示領域１００に表示する制御を行う。
【００４６】
具体的には、表示制御部１５ａは、再生アイコン１３１のクリック操作が行われた場合、主表示領域１００に被検体１内の画像Ｐnを時系列の順方向に沿って順次表示させ、コマ再生アイコン１３２のクリック操作が行われた場合、その都度、主表示領域１００に被検体１内の画像Ｐnを時系列の順方向に沿って１フレームずつ表示させる。また、表示制御部１５ａは、逆再生アイコン１３４のクリック操作が行われた場合、主表示領域１００に被検体１内の画像Ｐnを時系列の逆方向に沿って順次表示させ、逆コマ再生アイコン１３５のクリック操作が行われた場合、その都度、主表示領域１００に被検体１内の画像Ｐnを時系列の逆方向に沿って１フレームずつ表示させる。
【００４７】
一方、表示制御部１５ａは、頭出しアイコン１３３のクリック操作が行われた場合、被検体１内の画像群ＰＧの最後尾の画像を主表示領域１００に表示させる。また、表示制御部１５ａは、逆頭出しアイコン１３６のクリック操作が行われた場合、被検体１内の画像群ＰＧの先頭の画像を主表示領域１００に表示させる。
【００４８】
つぎに、被検体１内の画像群ＰＧに含まれる病変画像を検出する制御部１５の動作を説明する。図４は、被検体１内の画像群ＰＧに含まれる１種類の病変画像を検出する制御部１５の処理手順を例示するフローチャートである。制御部１５は、カードＩ／Ｆ１３に挿着された携帯型記録媒体５から被検体１内の画像群ＰＧを取り込むとともに、かかる画像群ＰＧ内の各画像の色情報を検出し、検出した色情報をもとに病変画像（例えば出血画像）を検出した場合、この病変画像に病変フラグを付加する。この場合、制御部１５は、かかる病変フラグを付加した病変画像を含む画像群ＰＧを記憶部１４に保存する。
【００４９】
具体的には、図４に示すように、制御部１５は、カードＩ／Ｆ１３に挿着された携帯型記録媒体５に保存された被検体１内の画像群ＰＧの中から処理対象の画像を読み込む（ステップＳ１０１）。この場合、制御部１５は、かかる画像群ＰＧ内の画像Ｐn（フレーム番号ｎ＝１，２，３，…）を例えば時系列に沿って順次読み込む。
【００５０】
つぎに、制御部１５は、処理対象の画像として読み込んだ被検体１内の画像が病変画像であるか否かを判断する（ステップＳ１０２）。この場合、病変検出部１５ｂは、かかる処理対象の画像である被検体１内の画像の色情報を検出し、検出した色情報をもとに、病変画像であるか否かを判断する。具体的には、病変検出部１５ｂは、かかる色情報として画像の平均色を検出した場合、検出した画像の平均色が病変画像の平均色に近似していれば、この処理対象の画像を被検体１内の病変画像であると判断する。また、病変検出部１５ｂは、かかる色情報として画像を形成するＲＧＢの各色要素の値を検出した場合、検出したＲＧＢの各色要素の値が病変画像の各色要素の数値範囲内であれば、この処理対象の画像を被検体１内の病変画像であると判断する。このようにして、病変検出部１５ｂは、被検体１内の画像群ＰＧに含まれる病変画像（例えば出血画像）を検出する。
【００５１】
制御部１５は、かかる処理対象の画像が病変画像であると判断した場合（ステップＳ１０２，Ｙｅｓ）、この被検体１内の病変画像に対して病変フラグを付加する（ステップＳ１０３）。この場合、病変検出部１５ｂは、検出した病変画像が出血画像であれば、出血画像である旨を示す病変フラグをこの被検体１内の病変画像に付加する。
【００５２】
つぎに、制御部１５は、かかる病変フラグを付加した被検体１内の病変画像を記憶部１４に保存する（ステップＳ１０４）。この場合、かかる病変フラグを付加した被検体１内の病変画像は、この被検体１内の画像群ＰＧの一部として記憶部１４に保存される。
【００５３】
その後、制御部１５は、かかる被検体１内の画像群ＰＧに含まれる全画像を処理完了したか否かを判断する（ステップＳ１０５）。具体的には、制御部１５は、カードＩ／Ｆ１３に挿着された携帯型記録媒体５内に未だ読み込んでいない被検体１内の画像が残っている場合、あるいは、記憶部１４に未だ保存していない被検体１内の画像が携帯型記録媒体５内に残っている場合、かかる被検体１内の画像群ＰＧの処理が完了していないと判断し（ステップＳ１０５，Ｎｏ）、上述したステップＳ１０１に戻り、このステップＳ１０１以降の処理手順を繰り返す。
【００５４】
制御部１５は、上述したステップＳ１０１〜Ｓ１０５の処理手順を被検体１内の画像群ＰＧに含まれる画像毎に繰り返し行い、かかる病変フラグが付加された病変画像を含む被検体１内の画像群ＰＧを記憶部１４に保存する。
【００５５】
一方、制御部１５は、カードＩ／Ｆ１３に挿着された携帯型記録媒体５から被検体１内の画像群ＰＧを全て読み込んだ場合、あるいは、かかる携帯型記録媒体５に保存された被検体１内の画像群ＰＧを全て記憶部１４に保存した場合、かかる画像群ＰＧ内の全画像を処理完了と判断し（ステップＳ１０５，Ｙｅｓ）、かかる画像群ＰＧ内の病変画像の検出処理を終了する。
【００５６】
なお、制御部１５は、上述したステップＳ１０２において処理対象の画像が病変画像ではないと判断した場合（ステップＳ１０２，Ｎｏ）、上述したステップＳ１０４に進み、このステップＳ１０４以降の処理手順を繰り返す。この場合、病変検出部１５ｂは、かかる病変画像ではない被検体１内の画像（すなわち正常な臓器の画像）に対して病変フラグを付加しない。すなわち、かかる病変画像ではない被検体１内の画像は、病変フラグが付加されずに、被検体１内の画像群ＰＧの一部として記憶部１４に保存される。
【００５７】
つぎに、被検体１内の画像群ＰＧに含まれる各画像を主表示領域１００に表示する制御を行うとともに、この主表示領域１００の現表示画像の時間的な位置を示すスライダ１１１の表示色を制御する制御部１５の動作を説明する。図５は、実施の形態１にかかる画像表示装置４の制御部１５の処理手順を説明するフローチャートである。
【００５８】
図５に示すように、まず、制御部１５は、上述したウィンドウＷ（図３を参照）を表示部１２に表示させた状態において、このウィンドウＷの主表示領域１００に表示させる被検体１内の画像群ＰＧのフレーム番号ｎを初期化する（ステップＳ２０１）。この場合、表示制御部１５ａは、この被検体１内の画像群ＰＧに含まれる各画像の中から主表示領域１００に表示する表示処理対象の画像を特定するフレーム番号ｎを初期化（例えばｎ＝１）にする。
【００５９】
つぎに、制御部１５は、主表示領域１００に対する画像表示指示の有無を判断する（ステップＳ２０２）。具体的には、入力部１１は、上述した表示操作アイコン群１３０に含まれるいずれかのアイコン（例えば、再生アイコン１３１、コマ再生アイコン１３２、逆再生アイコン１３４、または逆コマ再生アイコン１３５）に対応した表示指示情報を制御部１５に入力する。表示制御部１５ａは、かかる表示指示情報が入力部１１によって入力されなければ、主表示領域１００に対する画像表示指示なしと判断し（ステップＳ２０２，Ｎｏ）、このステップＳ２０２を繰り返す。すなわち、表示制御部１５ａは、かかる表示指示情報が入力部１１によって入力されるまで、このステップＳ１０３を繰り返す。
【００６０】
一方、制御部１５は、かかる表示指示情報が入力部１１によって入力された場合、主表示領域１００に対する画像表示指示ありと判断し（ステップＳ２０２，Ｙｅｓ）、表示処理対象の被検体１内の画像である現フレーム番号の画像を読み込む（ステップＳ２０３）。この場合、制御部１５は、記憶部１４に保存された被検体１内の画像群ＰＧの中から現フレーム番号の画像を読み込む。
【００６１】
つぎに、制御部１５は、読み込んだ現フレーム番号の画像（すなわち表示処理対象の被検体１内の画像）が病変画像であるか否かを判断する（ステップＳ２０４）。この場合、表示制御部１５ａは、現フレーム番号の画像に病変フラグが付加されているか否かを判断し、病変フラグが付加されていなければ、この現フレーム番号の画像が病変画像ではないと判断する。
【００６２】
制御部１５は、このように現フレーム番号の画像を病変画像ではないと判断した場合（ステップＳ２０４，Ｎｏ）、この現フレーム番号の画像、すなわち、病変の部位が被写体に含まれていない画像（正常な臓器画像）の時間的な位置を示すスライダ１１１をデフォルト色で表示する制御を行う（ステップＳ２０５）。この場合、表示制御部１５ａは、正常な臓器画像である現フレーム番号の画像に対応するタイムバー１１０上の時間的な位置にスライダ１１１を移動させるとともに、かかる正常な臓器画像である現フレーム番号の画像の時間的な位置を示すスライダ１１１をデフォルト色で表示する制御を行う。
【００６３】
一方、ステップＳ２０４において、表示制御部１５ａは、現フレーム番号の画像に病変フラグが付加されていれば、この現フレーム番号の画像が病変画像であると判断する。制御部１５は、このように現フレーム番号の画像を病変画像と判断した場合（ステップＳ２０４，Ｙｅｓ）、この現フレーム番号の画像、すなわち、病変画像の時間的な位置を示すスライダ１１１を病変色で表示する制御を行う（ステップＳ２０６）。この場合、表示制御部１５ａは、病変画像である現フレーム番号の画像に対応するタイムバー１１０上の時間的な位置にスライダ１１１を移動させるとともに、かかる病変画像である現フレーム番号の画像の時間的な位置を示すスライダ１１１を病変色で表示する制御を行う。
【００６４】
その後、制御部１５は、主表示領域１００に現フレーム番号の画像を表示する制御を行う（ステップＳ２０７）。なお、このステップＳ２０７において主表示領域１００に表示される画像のフレーム番号（すなわち現フレーム番号）は、上述したステップＳ２０１において初期化したフレーム番号または後述するステップＳ２０８において更新したフレーム番号である。
【００６５】
このステップＳ２０７において、表示制御部１５ａは、現フレーム番号の画像が病変画像ではない（すなわち正常な臓器画像である）場合、この現フレーム番号の正常な臓器画像を主表示領域１００に表示させる。この場合、かかる被検体１内の正常な臓器画像が主表示領域１００に表示されるとともに、この主表示領域１００に現に表示される被検体１内の正常な臓器画像の時間的な位置を示すスライダ１１１がデフォルト色で表示される。
【００６６】
一方、表示制御部１５ａは、現フレーム番号の画像が病変画像である場合、この現フレーム番号の病変画像を主表示領域１００に表示させる。この場合、かかる被検体１内の病変画像が主表示領域１００に表示されるとともに、この主表示領域１００に現に表示される被検体１内の病変画像の時間的な位置を示すスライダ１１１が病変色で表示される。ここで、このスライダ１１１の病変色は、この主表示領域１００の現表示画像である病変画像の示す病変に対応する色であって、この病変画像の時間的な位置を示すマーク表示領域１２０内の病変マーク（例えば病変マーク１２０ａ）の病変色と同色である。
【００６７】
つぎに、制御部１５は、表示処理対象の被検体１内の画像群ＰＧのフレーム番号を更新する（ステップＳ２０８）。この場合、表示制御部１５ａは、例えば現に主表示領域１００に表示している被検体１内の画像のフレーム番号ｎに＋１を加算することによって、この表示処理対象の画像群ＰＧのフレーム番号ｎを更新する。
【００６８】
その後、制御部１５は、現に主表示領域１００に表示している被検体１内の画像の一時停止指示の有無を判断する（ステップＳ２０９）。具体的には、制御部１５は、上述したコマ再生アイコン１３２または逆コマ再生アイコン１３５に対応する表示指示情報が入力部１１によって入力された場合、一時停止指示ありと判断する（ステップＳ２０９，Ｙｅｓ）。この場合、制御部１５は、上述したステップＳ２０２に戻り、このステップＳ２０２以降の処理手順を繰り返す。
【００６９】
一方、制御部１５は、コマ再生アイコン１３２または逆コマ再生アイコン１３５に対応する表示指示情報が入力されていなければ、一時停止指示なしと判断し（ステップＳ２０９，Ｎｏ）、被検体１内の画像群ＰＧに含まれる画像を主表示領域１００に表示する画像表示処理が終了したか否かを判断する（ステップＳ２１０）。
【００７０】
具体的には、制御部１５は、上述したステップＳ２０８において更新したフレーム番号ｎが表示処理対象の画像群ＰＧのフレーム数を超えた場合、この画像群ＰＧの画像表示処理が終了したと判断し（ステップＳ２１０，Ｙｅｓ）、かかる被検体１内の画像群ＰＧの画像表示処理を終了する。一方、制御部１５は、上述したステップＳ２０８において更新したフレーム番号ｎが表示処理対象の画像群ＰＧのフレーム数以下である場合、この画像ＰＧの画像表示処理が終了していないと判断し（ステップＳ２１０，Ｎｏ）、上述したステップＳ２０３に戻り、このステップＳ２０３以降の処理手順を繰り返す。
【００７１】
つぎに、病変の一例である出血部位を被写体に含む病変画像（すなわち出血画像）を主表示領域１００に表示する場合を例示して、かかる出血画像の時間的な位置を示すスライダ１１１の表示色をデフォルト色から病変色に変更する制御を行う制御部１５の動作を具体的に説明する。図６は、現に表示される出血画像の時間的な位置を示すスライダ１１１の表示色を出血部位に対応する病変色に変更する制御部１５の動作を説明するための模式図である。
【００７２】
制御部１５は、被検体１内の画像群ＰＧに含まれる各画像を主表示領域１００に表示させる前に、この画像群ＰＧに含まれる出血画像の時間的な位置を示す病変マークをマーク表示領域１２０内に表示させる。具体的には、制御部１５は、例えば、被検体１内の画像群ＰＧに含まれる出血画像Ｐ12，Ｐ13を検出した場合、かかる出血画像Ｐ12，Ｐ13の時間的な位置を示す病変マーク１２０ａをマーク表示領域１２０内に表示させる。この場合、表示制御部１５ａは、出血画像Ｐ12，Ｐ13の示す出血部位に対応する病変色（例えば赤色）で病変マーク１２０ａを表示する制御を行う。
【００７３】
このような病変マーク１２０ａは、例えば図６に示すように、出血画像Ｐ12，Ｐ13に対応するマーク表示領域１２０内の時間的な位置にバー状に表示される。このようにバー状に表示された病変マーク１２０ａは、被検体１内の画像群ＰＧのうちの出血画像Ｐ12，Ｐ13を含む部分画像群を代表する。このような部分画像群には、例えば、出血画像Ｐ12，Ｐ13と画像Ｐ11，Ｐ14とが含まれる。なお、かかる被検体１内の画像Ｐ11，Ｐ14は、出血画像Ｐ12，Ｐ13のフレーム番号に近い近傍の画像であって、正常な臓器内部を撮像した画像である。
【００７４】
その後、制御部１５は、入力部１１によって入力された表示指示情報に基づいて、被検体１内の画像群に含まれる画像Ｐn（ｎ＝１，２，３，・・・）を主表示領域１００に表示する制御を行うとともに、主表示領域１００に現に表示している現表示画像の時間的な位置を示すようにスライダ１１１をタイムバー１１０に沿って移動させる。この場合、制御部１５は、かかる主表示領域１００の現表示画像が病変画像でなければ、この現表示画像の時間的な位置を示すスライダ１１１をデフォルト色で表示する制御を行い、かかる主表示領域１００の現表示画像が病変画像であれば、この病変画像の時間的な位置を示すスライダ１１１を病変色で表示する制御を行う。
【００７５】
具体的には、図６に示すように、制御部１５は、主表示領域１００の現表示画像が画像Ｐ11または画像Ｐ14であれば、スライダ１１１が病変マーク１２０ａの表示範囲内に位置する場合であっても、このスライダ１１１をデフォルト色で表示する制御を行う。一方、制御部１５は、主表示領域１００の現表示画像が出血画像Ｐ12または出血画像Ｐ13であれば、かかる病変マーク１２０ａの表示範囲内に位置するスライダ１１１のデフォルト色を出血部位に対応する病変色に変更する制御を行う。この場合、制御部１５は、かかる出血画像Ｐ12，Ｐ13の時間的な位置を示すスライダ１１１の病変色を病変マーク１２０ａの病変色と同色（例えば赤色）にする。
【００７６】
このように、制御部１５がスライダ１１１の表示色を制御することによって、スライダ１１１は、被検体１内の画像群ＰＧにおける現表示画像の時間的な位置を示すとともに、その表示色（デフォルト色または病変色）によって、この現表示画像が出血画像等の病変画像であるか否かを表示することができる。また、かかるスライダ１１１は、主表示領域１００の現表示画像に対して離れた位置に表示される。このため、かかるスライダ１１１は、その表示色を病変色またはデフォルト色に変化する場合であっても、この主表示領域１００の現表示画像の観察を妨げることがない。
【００７７】
したがって、医師または看護師等のユーザは、かかるスライダ１１１の表示色変化に阻害されずに主表示領域１００の現表示画像を観察できるとともに、かかるスライダ１１１の病変色を視認することによって、この現表示画像が病変画像である旨を容易に理解できる。この結果、ユーザは、マーク表示領域１２０に表示された病変マークの表示範囲内にスライダ１１１が位置する状態において主表示領域１００に順次表示された被検体１内の部分画像群の中から出血画像等の病変画像を容易に特定することができる。
【００７８】
具体的には、ユーザは、バー状に表示された病変マーク１２０ａの表示範囲内にスライダ１１１が位置する状態において主表示領域１００に順次表示される被検体１内の部分画像群（フレーム番号ｎ＝１１〜１４の各画像）の中から、出血画像Ｐ12，Ｐ13を容易に特定できる。これによって、かかる出血画像Ｐ12，Ｐ13を主表示領域１００に容易に表示できるとともに、かかる出血画像Ｐ12，Ｐ13の被写体に含まれる被検体１内の出血部位ＢＬを容易に観察することができる。
【００７９】
以上、説明したように、本発明の実施の形態１では、被検体内の画像群に含まれる各画像を主表示領域に表示するとともに、この画像群内の各画像の時間的な位置を示すタイムバー上を移動するスライダによって、この主表示領域に現に表示される現表示画像の時間的な位置を示し、この主表示領域の現表示画像が病変画像である場合、このスライダのデフォルト色を病変色に変更するように構成した。このため、かかるスライダの表示色（病変色またはデフォルト色）を視認することによって、この主表示領域の現表示画像が病変画像であるか否かを容易に判断することができる。この結果、主表示領域に表示された被検体内の画像の観察を妨げることなく、かかる主表示領域に順次表示された画像群の中から被検体内の出血部位等の病変画像を容易に特定できる画像表示装置を実現することができる。
【００８０】
本発明の実施の形態１にかかる画像表示装置を用いることによって、被検体内の画像群の中から出血画像等の病変画像を容易に探し出すことができ、かかる被検体内の病変画像を容易に観察することができる。
【００８１】
（実施の形態２）
つぎに、本発明の実施の形態２について説明する。上述した実施の形態１では、被検体１内の画像群ＰＧに含まれる１種類の病変画像（例えば出血画像）を検出していたが、この実施の形態２では、被検体１内の画像群ＰＧに含まれる複数種類の病変画像を検出し、かかる複数種類の病変画像によってそれぞれ示される各病変別にスライダ１１１の病変色を異なる色にしている。なお、以下では、被検体１内の画像群ＰＧに含まれる複数種類の病変画像として、被検体１内の出血部位が撮像された出血画像と被検体１内の褪色調部位が撮像された褪色調画像とを例示する。
【００８２】
図７は、本発明の実施の形態２にかかる画像表示装置の一構成例を模式的に示すブロック図である。図７に示すように、この実施の形態２にかかる画像表示装置２４は、上述した実施の形態１にかかる画像表示装置４の制御部１５に代えて制御部２５を有する。かかる画像表示装置２４において、表示部１２は、マーク表示領域１２０に複数種類の病変画像の時間的な各位置をそれぞれ示す複数の病変マークを表示する。記憶部１４は、上述した表示色情報ＣＬ１に代えて表示色情報ＣＬ２を保存する。また、本発明の実施の形態２にかかる被検体内情報取得システムは、上述した実施の形態１にかかる被検体内情報取得システム（図１を参照）の画像表示装置４に代えて画像表示装置２４を有する。その他の構成は実施の形態１と同じであり、同一構成部分には同一符号を付している。
【００８３】
記憶部１４は、上述したように、表示色情報ＣＬ１に代えて表示色情報ＣＬ２を保存する。表示色情報ＣＬ２は、複数種類の病変にそれぞれ対応する複数の病変色と上述したデフォルト色とを設定するためのものである。かかる表示色情報ＣＬ２によって設定される複数の病変色として、例えば、出血部位に対応する病変色（以下、出血の病変色という）と褪色調部位に対応する病変色（以下、褪色調の病変色という）が挙げられる。かかる表示色情報ＣＬ２によって設定される表示色（デフォルト色および複数の病変色）は、上述したマーク表示領域１２０内の病変マークの表示色およびスライダ１１１の表示色に用いられる。
【００８４】
制御部２５は、上述した実施の形態１にかかる画像表示装置４の制御部１５と略同様に、入力部１１、表示部１２、カードＩ／Ｆ１３、および記憶部１４をそれぞれ制御し、かかる各構成部間の情報の入出力を制御する。また、制御部２５は、カードＩ／Ｆ１３に挿着された携帯型記録媒体５から被検体１内の画像群ＰＧを取得し、この被検体１内の画像群ＰＧに含まれる複数種類の病変画像（例えば出血画像および褪色調画像）を検出する。この場合、制御部２５は、かかる複数種類の病変画像を含む画像群ＰＧ内の各画像を主表示領域１００に表示する制御を行うとともに、スライダ１１の病変色および病変マークの病変色を病変画像の種類別（すなわち病変画像の示す病変の種類別）に異なる色に制御する。このような制御部２５は、上述した実施の形態１の制御部１５の表示制御部１５ａに代えて表示制御部２５ａを有し、病変検出部１５ｂに代えて病変検出部２５ｂを有する。
【００８５】
表示制御部２５ａは、上述した制御部１５の表示制御部１５ａと略同様の機能を有する。具体的には、表示制御部２５ａは、例えば出血画像および褪色調画像を含む画像群ＰＧ内の各画像を主表示領域１００に表示する制御を行い，これと同時に、この主表示領域１００の現表示画像の時間的な位置を示すようにスライダ１１１をタイムバー１１０に沿って移動させる。表示制御部２５ａは、この主表示領域１００の現表示画像が病変画像以外（すなわち正常な臓器画像）である場合、この現表示画像の時間的な位置を示すスライダ１１１をデフォルト色で表示する制御を行う。一方、表示制御部２５ａは、この主表示領域１００の現表示画像が出血画像である場合、この出血画像の時間的な位置を示すスライダ１１１の表示色を出血の病変色に変更する制御を行い、この主表示領域１００の現表示画像が褪色調画像である場合、この褪色調画像の時間的な位置を示すスライダ１１１の表示色を褪色調の病変色に変更する制御を行う。
【００８６】
また、表示制御部２５ａは、かかる被検体１内の画像群ＰＧに含まれる複数種類の病変画像（例えば出血画像および褪色調画像）の時間的な各位置をそれぞれ示す複数の病変マークをマーク表示領域１２０に表示する制御を行う。具体的には、表示制御部２５ａは、被検体１内の出血画像の時間的な位置を示す病変マークを出血の病変色で表示する制御を行い、被検体１内の褪色調画像の時間的な位置を示す病変マークを褪色調の病変色で表示する制御を行う。この場合、かかる出血画像の病変マークは、被検体１内の出血画像に対応するマーク表示領域１２０内の時間的な位置に出血の病変色（例えば赤色）で表示される。かかる褪色調画像の病変マークは、被検体１内の褪色調画像に対応するマーク表示領域１２０内の時間的な位置に褪色調の病変色（例えば白色）で表示される。
【００８７】
なお、上述したデフォルト色、出血の病変色、および褪色調の病変色は、記憶部１４に保存された表示色情報ＣＬ２によって設定される。この場合、かかるデフォルト色、出血の病変色、および褪色調の病変色は、互いに異なる色、例えば灰色、赤色、白色にそれぞれ設定される。
【００８８】
病変検出部２５ｂは、上述した制御部１５の病変検出部１５ｂと略同様に、被検体１内の画像群ＰＧに含まれる画像の色情報を検出し、検出した画像の色情報をもとに、処理対象の画像が病変画像であるか否かを判断する。この場合、病変検出部２５ｂは、被検体１内の画像群ＰＧに含まれる複数種類の病変画像を検出する。かかる病変検出部２５ｂによって検出される複数種類の病変画像は、例えば、被検体１内の出血画像および褪色調画像である。病変検出部２５ｂは、かかる出血画像および褪色調画像に対して病変別に異なる病変フラグをそれぞれ付加する。かかる病変別の病変フラグがそれぞれ付加された出血画像および褪色調画像は、被検体１内の画像群ＰＧの一部として記憶部１４に保存される。
【００８９】
つぎに、表示部１２の表示態様を具体的に例示し、表示部１２に表示されるＧＵＩと表示部１２の表示動作を制御する表示制御部２５ａの動作とを説明する。図８は、病変別に異なる病変色で複数の病変マークを表示した表示部１２の表示態様を例示する模式図である。図８に示すように、この画像表示装置２４の表示部１２に表示されるウィンドウＷでは、複数種類の病変マーク、例えば、複数の出血画像の時間的な各位置をそれぞれ示す病変マーク１２０ａ，１２０ｂと、褪色調画像の時間的な位置を示す病変マーク１２０ｃとが、マーク表示領域１２０内に表示される。また、主表示領域１００に表示される被検体１内の病変画像は、複数種類であり、例えば、被検体１内の出血部位ＢＬを被写体に含む出血画像、被検体１内の褪色調部位Ｅを被写体に含む褪色調画像である。かかるウィンドウＷの他の表示態様は、上述した実施の形態１の場合と同じである。
【００９０】
図８に示すように、マーク表示領域１２０は、病変の種類別に異なる病変色の病変マーク１２０ａ，１２０ｃ，１２０ｃを表示する。この場合、表示制御部２５ａは、被検体１内の画像群ＰＧに含まれる複数の出血画像にそれぞれ対応するマーク表示領域１２０内の時間的な各位置に、出血の病変色（例えば赤色）の病変マーク１２０ａ，１２０ｂを表示する制御を行う。また、表示制御部２５ａは、被検体１内の画像群ＰＧに含まれる褪色調画像に対応するマーク表示領域１２０内の時間的な位置に、褪色調の病変色（例えば白色）の病変マーク１２０ｃを表示する制御を行う。
【００９１】
また、スライダ１１１は、主表示領域１００の現表示画像の時間的な位置を示すようにタイムバー１１０上を移動するとともに、デフォルト色、出血の病変色、または褪色調の病変色のいずれかを表示する。この場合、表示制御部２５ａは、主表示領域１００の現表示画像が病変画像以外（正常な臓器画像）であれば、このスライダ１１１の表示色をデフォルト色にし、主表示領域１００の現表示画像が出血画像であれば、このスライダ１１１の表示色を病変マーク１２０ａ，１２０ｂと同色の病変色（出血の病変色）にし、主表示領域１００の現表示画像が褪色調画像であれば、このスライダ１１１の表示色を病変マーク１２０ｃと同色の病変色（褪色調の病変色）にする。
【００９２】
つぎに、被検体１内の画像群ＰＧに含まれる出血画像および褪色調画像を検出する制御部２５の動作を説明する。図９は、被検体１内の画像群ＰＧに含まれる複数種類の病変画像を検出する制御部２５の処理手順を例示するフローチャートである。制御部２５は、カードＩ／Ｆ１３に挿着された携帯型記録媒体５から被検体１内の画像群ＰＧを取り込むとともに、かかる画像群ＰＧに含まれる出血画像および褪色調画像を検出する。この場合、制御部２５は、かかる出血画像および褪色調画像を含む画像群ＰＧを記憶部１４に保存する。
【００９３】
具体的には、図９に示すように、制御部２５は、上述したステップＳ１０１と同様に、カードＩ／Ｆ１３に挿着された携帯型記録媒体５に保存された被検体１内の画像群ＰＧの中から処理対象の画像を読み込む（ステップＳ３０１）。
【００９４】
つぎに、制御部２５は、処理対象の画像として読み込んだ被検体１内の画像が出血画像であるか否かを判断する（ステップＳ３０２）。この場合、病変検出部２５ｂは、かかる処理対象の画像である被検体１内の画像の色情報を検出し、検出した色情報をもとに、出血画像であるか否かを判断する。具体的には、病変検出部２５ｂは、かかる色情報として画像の平均色を検出した場合、検出した画像の平均色が出血画像の平均色に近似していれば、この処理対象の画像を被検体１内の出血画像であると判断する。また、病変検出部２５ｂは、かかる色情報として画像を形成するＲＧＢの各色要素の値を検出した場合、検出したＲＧＢの各色要素の値が出血画像の各色要素の数値範囲内であれば、この処理対象の画像を被検体１内の出血画像であると判断する。このようにして、病変検出部２５ｂは、被検体１内の画像群ＰＧに含まれる出血画像を検出する。
【００９５】
制御部２５は、かかる処理対象の画像が出血画像であると判断した場合（ステップＳ３０２，Ｙｅｓ）、この被検体１内の出血画像に対して病変フラグを付加する（ステップＳ３０３）。この場合、病変検出部２５ｂは、出血画像である旨を示す出血の病変フラグをこの被検体１内の出血画像に付加する。
【００９６】
つぎに、制御部２５は、かかる処理対象の画像が褪色調画像であるか否かを判断する（ステップＳ３０４）。この場合、病変検出部２５ｂは、かかる処理対象の画像である被検体１内の画像の色情報を検出し、検出した色情報をもとに、褪色調画像であるか否かを判断する。具体的には、病変検出部２５ｂは、かかる色情報として画像の平均色を検出した場合、検出した画像の平均色が褪色調画像の平均色に近似していれば、この処理対象の画像を被検体１内の褪色調画像であると判断する。また、病変検出部２５ｂは、かかる色情報として画像を形成するＲＧＢの各色要素の値を検出した場合、検出したＲＧＢの各色要素の値が褪色調画像の各色要素の数値範囲内であれば、この処理対象の画像を被検体１内の褪色調画像であると判断する。このようにして、病変検出部２５ｂは、被検体１内の画像群ＰＧに含まれる褪色調画像を検出する。
【００９７】
制御部２５は、かかる処理対象の画像が褪色調画像であると判断した場合（ステップＳ３０４，Ｙｅｓ）、この被検体１内の褪色調画像に対して病変フラグを付加する（ステップＳ３０５）。この場合、病変検出部２５ｂは、褪色調画像である旨を示す褪色調の病変フラグをこの被検体１内の褪色調画像に付加する。
【００９８】
つぎに、制御部２５は、出血の病変フラグを付加した出血画像または褪色調の病変フラグを付加した褪色調画像を記憶部１４に保存する（ステップＳ３０６）。この場合、かかる出血画像または褪色調画像は、この被検体１内の画像群ＰＧの一部として記憶部１４に保存される。
【００９９】
その後、制御部２５は、上述したステップＳ１０５と同様に、かかる被検体１内の画像群ＰＧに含まれる全画像を処理完了したか否かを判断する（ステップＳ３０７）。制御部２５は、かかる被検体１内の画像群ＰＧの処理が完了していないと判断した場合（ステップＳ３０７，Ｎｏ）、上述したステップＳ３０１に戻り、このステップＳ３０１以降の処理手順を繰り返す。一方、制御部２５は、かかる画像群ＰＧ内の全画像を処理完了と判断した場合（ステップＳ３０７，Ｙｅｓ）、かかる画像群ＰＧに含まれる複数種類の病変画像の検出処理を終了する。
【０１００】
制御部２５は、上述したステップＳ３０１〜Ｓ３０７の処理手順を被検体１内の画像群ＰＧに含まれる画像毎に繰り返し行い、出血画像および褪色調画像を含む被検体１内の画像群ＰＧを記憶部１４に保存する。
【０１０１】
なお、制御部２５は、上述したステップＳ３０２において処理対象の画像が出血画像ではないと判断した場合（ステップＳ３０２，Ｎｏ）、上述したステップＳ３０４に進み、このステップＳ３０４以降の処理手順を繰り返す。この場合、病変検出部２５ｂは、かかる出血画像ではない被検体１内の画像に対して出血の病変フラグを付加しない。
【０１０２】
また、制御部２５は、上述したステップＳ３０４において処理対象の画像が褪色調画像ではないと判断した場合（ステップＳ３０４，Ｎｏ）、上述したステップＳ３０６に進み、このステップＳ３０６以降の処理手順を繰り返す。この場合、病変検出部２５ｂは、かかる褪色調画像ではない被検体１内の画像に対して褪色調の病変フラグを付加しない。
【０１０３】
このように、被検体１内の出血画像には出血の病変フラグが付加され、被検体１内の褪色調画像には褪色調の病変フラグが付加される。一方、出血画像および褪色調画像のいずれでもない被検体１内の画像（すなわち正常な臓器画像）には、いずれの病変グラフも付加されない。このような出血画像と褪色調画像と正常な臓器画像とが、被検体１内の画像群ＰＧとして記憶部１４に保存される。
【０１０４】
つぎに、被検体１内の画像群ＰＧに含まれる各画像を主表示領域１００に表示する制御を行うとともに、この主表示領域１００の現表示画像の時間的な位置を示すスライダ１１１の表示色を制御する制御部２５の動作を説明する。図１０は、実施の形態２にかかる画像表示装置２４の制御部２５の処理手順を説明するフローチャートである。
【０１０５】
制御部２５は、上述した実施の形態１にかかる画像表示装置４の制御部１５と略同様に、被検体１内の画像群ＰＧに含まれる各画像を主表示領域１００に表示する制御を行うとともに、この主表示領域１００の現表示画像の時間的な位置を示すスライダ１１１の表示色を制御する。この場合、制御部２５は、現表示画像が病変画像以外であれば、このスライダ１１１の表示色をデフォルト色にし、現表示画像が出血画像であれば、このスライダ１１１の表示色を出血の病変色にし、現表示画像が褪色調画像であれば、このスライダ１１１の表示色を褪色調の病変色にする。
【０１０６】
すなわち、図１０に示すように、制御部２５は、上述したステップＳ２０１〜Ｓ２０３（図５を参照）と同様の処理手順を行い、被検体１内の画像群ＰＧのフレーム番号ｎを初期化し、画像表示指示の有無を判断し、画像表示指示ありの場合、この画像群ＰＧ内の現フレーム番号の画像を読み込む（ステップＳ４０１〜Ｓ４０３）。
【０１０７】
つぎに、制御部２５は、読み込んだ現フレーム番号の画像（すなわち表示処理対象の被検体１内の画像）が出血画像であるか否かを判断する（ステップＳ４０４）。この場合、表示制御部２５ａは、現フレーム番号の画像に出血の病変フラグが付加されているか否かを判断し、出血の病変フラグが付加されていなければ、この現フレーム番号の画像が出血画像ではないと判断する。
【０１０８】
制御部２５は、このように現フレーム番号の画像を出血画像ではないと判断した場合（ステップＳ４０４，Ｎｏ）、この現フレーム番号の画像が褪色調画像であるか否かを判断する（ステップＳ４０５）。この場合、表示制御部２５ａは、この現フレーム番号の画像に褪色調の病変フラグが付加されているか否かを判断し、褪色調の病変フラグが付加されていなければ、この現フレーム番号の画像が褪色調画像ではないと判断する。
【０１０９】
制御部２５は、この現フレーム番号の画像（既に出血画像でないと判断された画像）を褪色調画像ではないと判断した場合（ステップＳ４０５，Ｎｏ）、この現フレーム番号の画像、すなわち、出血画像および褪色調画像のいずれでもない正常な臓器画像の時間的な位置を示すスライダ１１１をデフォルト色で表示する制御を行う（ステップＳ４０８）。
【０１１０】
一方、ステップＳ４０４において、表示制御部２５ａは、現フレーム番号の画像に出血の病変フラグが付加されていれば、この現フレーム番号の画像が出血画像であると判断する。制御部２５は、このように現フレーム番号の画像を出血画像と判断した場合（ステップＳ４０４，Ｙｅｓ）、この現フレーム番号の画像、すなわち、出血画像の時間的な位置を示すスライダ１１１を出血の病変色で表示する制御を行う（ステップＳ４０６）。この場合、表示制御部２５ａは、出血画像である現フレーム番号の画像に対応するタイムバー１１０上の時間的な位置にスライダ１１１を移動させるとともに、かかる出血画像である現フレーム番号の画像の時間的な位置を示すスライダ１１１を出血の病変色（例えば赤色）で表示する制御を行う。
【０１１１】
また、ステップＳ４０５において、表示制御部２５ａは、現フレーム番号の画像に褪色調の病変フラグが付加されていれば、この現フレーム番号の画像が褪色調画像であると判断する。制御部２５は、このように現フレーム番号の画像を褪色調画像と判断した場合（ステップＳ４０５，Ｙｅｓ）、この現フレーム番号の画像、すなわち、褪色調画像の時間的な位置を示すスライダ１１１を褪色調の病変色で表示する制御を行う（ステップＳ４０７）。この場合、表示制御部２５ａは、褪色調画像である現フレーム番号の画像に対応するタイムバー１１０上の時間的な位置にスライダ１１１を移動させるとともに、かかる褪色調画像である現フレーム番号の画像の時間的な位置を示すスライダ１１１を褪色調の病変色（例えば白色）で表示する制御を行う。
【０１１２】
その後、制御部２５は、主表示領域１００に現フレーム番号の画像を表示する制御を行う（ステップＳ４０９）。なお、このステップＳ４０９において主表示領域１００に表示される画像のフレーム番号（すなわち現フレーム番号）は、上述したステップＳ４０１において初期化したフレーム番号または後述するステップＳ４１０において更新したフレーム番号である。
【０１１３】
このステップＳ４０９において、表示制御部２５ａは、現フレーム番号の画像が正常な臓器画像である場合、この現フレーム番号の正常な臓器画像を主表示領域１００に表示させる。この場合、かかる被検体１内の正常な臓器画像が主表示領域１００に表示されるとともに、この主表示領域１００に現に表示される被検体１内の正常な臓器画像の時間的な位置を示すスライダ１１１がデフォルト色で表示される。
【０１１４】
一方、表示制御部２５ａは、現フレーム番号の画像が出血画像である場合、この現フレーム番号の出血画像を主表示領域１００に表示させる。この場合、かかる被検体１内の出血画像が主表示領域１００に表示されるとともに、この主表示領域１００に現に表示される被検体１内の出血画像の時間的な位置を示すスライダ１１１が出血の病変色で表示される。ここで、このスライダ１１１に表示される出血の病変色は、この主表示領域１００の現表示画像である出血画像の示す病変（すなわち出血部位）に対応する色であって、この出血画像の時間的な位置を示すマーク表示領域１２０内の病変マーク（例えば病変マーク１２０ａ）の病変色と同色である。
【０１１５】
また、表示制御部２５ａは、現フレーム番号の画像が褪色調画像である場合、この現フレーム番号の褪色調画像を主表示領域１００に表示させる。この場合、かかる被検体１内の褪色調画像が主表示領域１００に表示されるとともに、この主表示領域１００に現に表示される被検体１内の褪色調画像の時間的な位置を示すスライダ１１１が褪色調の病変色で表示される。ここで、このスライダ１１１に表示される褪色調の病変色は、この主表示領域１００の現表示画像である褪色調画像の示す病変（すなわち褪色調部位）に対応する色であって、この褪色調画像の時間的な位置を示すマーク表示領域１２０内の病変マーク（例えば病変マーク１２０ｃ）の病変色と同色である。
【０１１６】
その後、制御部２５は、上述したステップＳ２０８と同様に、表示処理対象の画像群ＰＧのフレーム番号ｎを更新する（ステップＳ４１０）。そして、制御部２５は、上述したステップＳ２０９と同様に、主表示領域１００の画像の一時停止指示の有無を判断し（ステップＳ４１１）、一時停止指示ありの場合（ステップＳ４１１，Ｙｅｓ）、ステップＳ４０２に戻り、このステップＳ４０２以降の処理手順を繰り返す。
【０１１７】
一方、制御部２５は、一時停止指示なしの場合（ステップＳ４１１，Ｎｏ）、上述したステップＳ２１０と同様に、被検体１内の画像群ＰＧに含まれる画像を主表示領域１００に表示する画像表示処理が終了したか否かを判断する（ステップＳ４１２）。制御部２５は、画像表示処理が終了していないと判断した場合（ステップＳ４１２，Ｎｏ）、ステップＳ４０３に戻り、このステップＳ４０３以降の処理手順を繰り返し、画像表示処理が終了したと判断した場合（ステップＳ４１２，Ｙｅｓ）、かかる被検体１内の画像の画像表示処理を終了する。
【０１１８】
つぎに、複数種類の病変画像の一例である出血部位および褪色調画像を主表示領域１００に表示する場合を例示して、出血画像の時間的な位置を示すスライダ１１１の表示色を出血の病変色に変更し、褪色調画像の時間的な位置を示すスライダ１１１の表示色を褪色調の病変色に変更する制御を行う制御部２５の動作を具体的に説明する。図１１は、現に表示される出血画像または褪色調画像に対応してスライダ１１１の表示色を出血または褪色調の病変色に変更する制御部２５の動作を説明するための模式図である。
【０１１９】
制御部２５は、被検体１内の画像群ＰＧに含まれる各画像を主表示領域１００に表示させる前に、この画像群ＰＧに含まれる出血画像の時間的な位置を示す病変マークと褪色調画像の時間的な位置を示す病変マークとをマーク表示領域１２０内にそれぞれ表示させる。
【０１２０】
具体的には、制御部２５は、例えば、被検体１内の画像群ＰＧに含まれる褪色調画像Ｐ34，Ｐ36を検出した場合、かかる褪色調画像Ｐ34，Ｐ36の時間的な位置を示す病変マーク１２０ｃをマーク表示領域１２０内に表示させる。この場合、表示制御部２５ａは、褪色調画像Ｐ34，Ｐ36の示す褪色調部位に対応する病変色（例えば白色）で病変マーク１２０ｃを表示する制御を行う。また、制御部２５は、上述した実施の形態１の場合と同様に、被検体１内の出血画像Ｐ12，Ｐ13の時間的な位置を示す病変マーク１２０ａを出血の病変色（例えば赤色）でマーク表示領域１２０内に表示させる。
【０１２１】
このような病変マーク１２０ａ，１２０ｃは、例えば図６に示すように、出血画像Ｐ12，Ｐ13に対応するマーク表示領域１２０内の時間的な位置と、褪色調画像Ｐ34，Ｐ36に対応するマーク表示領域１２０内の時間的な位置とに、それぞれバー状に表示される。かかるバー状の病変マーク１２０ａは、上述したように、被検体１内の画像Ｐ11，Ｐ14と出血画像Ｐ12，Ｐ13とを含む部分画像群を代表する。一方、かかるバー状の病変マーク１２０ｃは、被検体１内の画像群ＰＧのうちの褪色調画像Ｐ34，Ｐ36を含む部分画像群を代表する。このような部分画像群には、例えば、褪色調画像Ｐ34，Ｐ36と画像Ｐ31，Ｐ32，Ｐ33，Ｐ35，Ｐ37とが含まれる。なお、かかる被検体１内の画像Ｐ31，Ｐ32，Ｐ33，Ｐ35，Ｐ37は、褪色調画像Ｐ34，Ｐ36のフレーム番号に近い近傍の画像であって、正常な臓器内部を撮像した画像である。
【０１２２】
その後、制御部２５は、入力部１１によって入力された表示指示情報に基づいて、被検体１内の画像群に含まれる画像Ｐn（ｎ＝１，２，３，・・・）を主表示領域１００に表示する制御を行うとともに、主表示領域１００に現に表示している現表示画像の時間的な位置を示すようにスライダ１１１をタイムバー１１０に沿って移動させる。この場合、制御部２５は、かかる主表示領域１００の現表示画像が病変画像でなければ、この現表示画像の時間的な位置を示すスライダ１１１をデフォルト色で表示する制御を行う。一方、制御部２５は、かかる主表示領域１００の現表示画像が出血画像であれば、この出血画像の時間的な位置を示すスライダ１１１を出血の病変色で表示する制御を行い、この現表示画像が褪色調画像であれば、この褪色調画像の時間的な位置を示すスライダ１１１を褪色調の病変色で表示する制御を行う。
【０１２３】
具体的には、図１１に示すように、制御部２５は、主表示領域１００の現表示画像が出血画像Ｐ12または出血画像Ｐ13であれば、かかる病変マーク１２０ａの表示範囲内に位置するスライダ１１１のデフォルト色を出血の病変色に変更する制御を行う。この場合、制御部２５は、かかる出血画像Ｐ12，Ｐ13の時間的な位置を示すスライダ１１１の表示色を病変マーク１２０ａと同色である出血の病変色（例えば赤色）にする。なお、制御部２５は、主表示領域１００の現表示画像が画像Ｐ11，Ｐ14等の正常な臓器画像であれば、スライダ１１１が病変マーク１２０ａの表示範囲内に位置する場合であっても、このスライダ１１１の表示色をデフォルト色にする。
【０１２４】
また、制御部２５は、主表示領域１００の現表示画像が画像Ｐ31，Ｐ32，Ｐ33，Ｐ35，Ｐ37等の正常な臓器画像であれば、スライダ１１１が病変マーク１２０ｃの表示範囲内に位置する場合であっても、このスライダ１１１の表示色をデフォルト色にする。一方、制御部２５は、主表示領域１００の現表示画像が褪色調画像Ｐ34または褪色調画像Ｐ36であれば、かかる病変マーク１２０ｃの表示範囲内に位置するスライダ１１１のデフォルト色を褪色調の病変色に変更する制御を行う。この場合、制御部２５は、かかる褪色調画像Ｐ34，Ｐ36の時間的な位置を示すスライダ１１１の表示色を病変マーク１２０ｃと同色である褪色調の病変色（例えば白色）にする。
【０１２５】
このように、制御部２５がスライダ１１１の表示色を制御することによって、スライダ１１１は、被検体１内の画像群ＰＧにおける現表示画像の時間的な位置を示すとともに、その表示色（例えば、デフォルト色、出血の病変色、褪色調の病変色）によって、この現表示画像が病変画像であるか否か、さらには、この病変画像が出血画像または褪色調画像のいずれであるかを表示することができる。また、かかるスライダ１１１は、主表示領域１００の現表示画像に対して離れた位置に表示される。このため、かかるスライダ１１１は、その表示色を複数種類の病変色またはデフォルト色に変化する場合であっても、この主表示領域１００の現表示画像の観察を妨げることがない。
【０１２６】
したがって、医師または看護師等のユーザは、かかるスライダ１１１の表示色変化に阻害されずに主表示領域１００の現表示画像を観察できるとともに、かかるスライダ１１１の病変色を視認することによって、この現表示画像が病変画像である旨と、この病変画像の示す病変の種類（出血部位または褪色調部位）とを容易に理解できる。この結果、ユーザは、被検体１内の画像群ＰＧに複数種類の病変画像が含まれる場合であっても、マーク表示領域１２０に表示された病変マークの表示範囲内にスライダ１１１が位置する状態において主表示領域１００に順次表示された被検体１内の部分画像群の中から病変画像を容易に探し出して表示できるとともに、この病変画像の示す病変の種類（出血部位または褪色調部位）を容易に特定することができる。
【０１２７】
具体的には、ユーザは、バー状に表示された病変マーク１２０ａの表示範囲内にスライダ１１１が位置する状態において主表示領域１００に順次表示される被検体１内の部分画像群（フレーム番号ｎ＝１１〜１４の各画像）の中から、出血画像Ｐ12，Ｐ13を容易に特定できる。これによって、かかる出血画像Ｐ12，Ｐ13を主表示領域１００に容易に表示できるとともに、かかる出血画像Ｐ12，Ｐ13の被写体に含まれる被検体１内の出血部位ＢＬを容易に観察することができる。
【０１２８】
また、ユーザは、バー状に表示された病変マーク１２０ｃの表示範囲内にスライダ１１１が位置する状態において主表示領域１００に順次表示される被検体１内の部分画像群（フレーム番号ｎ＝３１〜３７の各画像）の中から、褪色調画像Ｐ34，Ｐ36を容易に特定できる。これによって、かかる褪色調画像Ｐ34，Ｐ36を主表示領域１００に容易に表示できるとともに、かかる褪色調画像Ｐ34，Ｐ36の被写体に含まれる被検体１内の褪色調部位Ｅを容易に観察することができる。
【０１２９】
以上、説明したように、本発明の実施の形態２では、上述した実施の形態１の機能に加え、被検体内の画像群に含まれる複数種類の病変画像を検出し、かかる複数種類の病変画像の時間的な各位置を示す複数の病変マークを病変の種類別に異なる病変色で表示するように構成した。また、主表示領域に表示した現表示画像の時間的な位置を示すスライダをデフォルト色で表示し、この主表示領域の現表示画像が複数種類の病変画像のいずれかである場合、このスライダのデフォルト色をこの病変画像の種類別に異なる病変色に変更するように構成した。このため、表示処理対象の被検体内の画像群に複数種類の病変画像が含まれる場合であっても、かかるスライダの表示色（病変色またはデフォルト色）を視認することによって、この主表示領域の現表示画像が病変画像であるか否かを容易に判断できるとともに、この病変画像の示す病変の種類を容易に判断することができる。この結果、上述した実施の形態１の作用効果を享受するとともに、被検体内の画像群に含まれる複数種類の病変画像の種類を容易に特定でき、かかる被検体内の画像群から所望の病変画像を容易に表示できる画像表示装置を実現することができる。
【０１３０】
本発明の実施の形態２にかかる画像表示装置によれば、被検体内の画像群に複数種類の病変画像が混在する場合であっても、かかる複数種類の病変画像の中から所望の病変（例えば出血部位、褪色調部位等）が撮像された病変画像を容易に探し出して表示できる。この結果、かかる被検体内の画像群に含まれる複数種類の病変画像を容易に観察することができる。
【０１３１】
（実施の形態３）
つぎに、本発明の実施の形態３について説明する。上述した実施の形態２では、被検体１内の画像群ＰＧに含まれる複数種類の病変画像を検出し、かかる複数種類の病変画像によってそれぞれ示される各病変別に異なる病変色でスライダ１１１を表示していたが、この実施の形態３では、さらに、かかる複数種類の病変画像の示す複数種類の病変の中から所望の病変を選択し、選択した所望の病変に対応する病変マークおよびスライダ１１１の病変色を表示するように構成している。
【０１３２】
図１２は、本発明の実施の形態３にかかる画像表示装置の一構成例を模式的に示すブロック図である。図１２に示すように、この実施の形態３にかかる画像表示装置３４は、上述した実施の形態２にかかる画像表示装置２４の制御部２５に代えて制御部３５を有する。かかる画像表示装置３４において、表示部１２は、所望の病変を選択するためのＧＵＩである病変選択部１６０をさらに表示する。また、本発明の実施の形態３にかかる被検体内情報取得システムは、上述した実施の形態２にかかる被検体内情報取得システムの画像表示装置２４に代えて画像表示装置３４を有する。その他の構成は実施の形態２と同じであり、同一構成部分には同一符号を付している。
【０１３３】
制御部３５は、上述した実施の形態２にかかる画像表示装置２４の制御部２５と略同様に、入力部１１、表示部１２、カードＩ／Ｆ１３、および記憶部１４をそれぞれ制御し、かかる各構成部間の情報の入出力を制御する。このような制御機能に加え、制御部３５は、表示部１２に表示された病変選択部１６０によって選択された病変に対応する病変色の病変マークのみをマーク表示領域１２０に表示する制御を行う。また、制御部３５は、かかる病変選択部１６０によって選択された病変を被写体に含む病変画像が主表示領域１００に表示される場合に、この選択された病変に対応する病変色でスライダ１１１を表示する制御を行う。このような制御部３５は、上述した病変検出部２５ｂを有し、実施の形態２の制御部２５の表示制御部２５ａに代えて表示制御部３５ａを有する。さらに、制御部３５は、かかる病変選択部１６０によって選択された病変を処理対象の病変（対象病変）に設定する対象病変設定部３５ｃを有する。
【０１３４】
表示制御部３５ａは、上述した制御部２５の表示制御部２５ａと略同様の機能を有する。具体的には、表示制御部３５ａは、例えば出血画像および褪色調画像を含む画像群ＰＧ内の各画像を主表示領域１００に表示する制御を行い，これと同時に、この主表示領域１００の現表示画像の時間的な位置を示すようにスライダ１１１をタイムバー１１０に沿って移動させる。表示制御部３５ａは、この主表示領域１００の現表示画像が病変画像以外（すなわち正常な臓器画像）である場合、この現表示画像の時間的な位置を示すスライダ１１１をデフォルト色で表示する制御を行う。一方、表示制御部３５ａは、対象病変設定部３５ｃによって出血部位が対象病変に設定された場合、この主表示領域１００の現表示画像が出血画像であれば、この出血画像の時間的な位置を示すスライダ１１１の表示色を出血の病変色に変更する制御を行う。また、表示制御部３５ａは、対象病変設定部３５ｃによって褪色調部位が対象病変に設定された場合、この主表示領域１００の現表示画像が褪色調画像であれば、この褪色調画像の時間的な位置を示すスライダ１１１の表示色を褪色調の病変色に変更する制御を行う。
【０１３５】
また、表示制御部３５ａは、被検体１内の画像群ＰＧに含まれる複数種類の病変画像（例えば出血画像および褪色調画像）にそれぞれ対応する複数の病変マークのうち、対象病変設定部３５ｃによって対象病変に設定された１以上の病変に対応する１以上の病変マークをマーク表示領域１２０に表示する制御を行う。具体的には、表示制御部３５ａは、対象病変設定部３５ｃによって出血部位が対象病変に設定された場合、病変検出部２５ｂによって検出された画像群ＰＧ内の出血画像の時間的な位置を示す病変マークを出血の病変色でマーク表示領域１２０内に表示する制御を行う。一方、表示制御部３５ａは、対象病変設定部３５ｃによって褪色調部位が対象病変に設定された場合、病変検出部２５ｂによって検出された画像群ＰＧ内の褪色調画像の時間的な位置を示す病変マークを褪色調の病変色でマーク表示領域１２０内に表示する制御を行う。また、表示制御部３５ａは、対象病変設定部３５ｃによって出血部位および褪色調部位が対象病変に設定された場合、病変検出部２５ｂによって検出された画像群ＰＧ内の出血画像の時間的な位置を示す病変マークを出血の病変色でマーク表示領域１２０内に表示するとともに、かかる画像群ＰＧ内の褪色調画像の時間的な位置を示す病変マークを褪色調の病変色でマーク表示領域１２０内に表示する制御を行う。
【０１３６】
対象病変設定部３５ｃは、表示部１２に表示されたＧＵＩである病変選択部１６０によって選択された１以上の病変を対象病変に設定する。かかる対象病変設定部３５ｃによって設定された対象病変は、マーク表示領域１２０内に表示される病変マークに対応する表示処理対象の病変であり、且つ、主表示領域１００の現表示画像が病変画像である場合にスライダ１１１に表示される病変色に対応する表示処理対象の病変である。具体的には、対象病変設定部３５ｃは、かかる病変選択部１６０によって出血部位が選択された場合、出血部位を対象病変に設定し、かかる病変選択部１６０によって褪色調部位が選択された場合、褪色調部位を対象病変に設定する。また、対象病変設定部３５ｃは、かかる病変選択部１６０によって出血部位および褪色調部位が選択された場合、出血部位および褪色調部位を対象病変に設定する。
【０１３７】
つぎに、表示部１２の表示態様を具体的に例示し、表示部１２に表示されるＧＵＩと表示部１２の表示動作を制御する表示制御部３５ａの動作とを説明する。図１３は、所望の病変を選択するＧＵＩである病変選択部１６０をさらに表示した表示部１２の表示態様を例示する模式図である。
【０１３８】
図１３に示すように、この画像表示装置３４の表示部１２に表示されるウィンドウＷでは、所望の病変を選択するＧＵＩである病変選択部１６０が追加形成される。また、スライダ１１１は、主表示領域１００の現表示画像が病変画像である場合、この病変画像の示す病変が病変選択部１６０によって選択された病変であれば、この選択された病変に対応する病変色を表示し、この病変画像の示す病変が病変選択部１６０によって選択された病変でなければ、現表示画像が病変画像であってもデフォルト色を表示する。マーク表示領域１２０は、この病変選択部１６０によって選択された病変に対応する１以上の病変マーク、例えば、上述した病変マーク１２０ａ，１２０ｂ，１２０ｃを表示する。かかるウィンドウＷの他の表示態様は、上述した実施の形態２の場合と同じである。
【０１３９】
病変選択部１６０は、上述したように、複数種類の病変（例えば出血部位、褪色調部位等）の中から所望の病変を選択するＧＵＩであり、例えば押しボタンの態様で表示部１２に表示される。かかる病変選択部１６０は、入力部１１を用いたクリック操作等によって、１以上の所望の病変を選択する。具体的には、病変選択部１６０は、入力部１１を用いたクリック操作等によって所定の選択メニューを開き、この選択メニューに一覧表示された複数種類の病変の中から１以上の病変を選択する。かかる病変選択部１６０によって選択された１以上の病変は、上述した対象病変設定部３５ｃによって１以上の対象病変に設定される。
【０１４０】
図１４は、病変選択部１６０によって示される選択メニューの一具体例を示す模式図である。図１４に示すように、病変選択部１６０は、例えば病変として出血（部位）および褪色調（部位）を一覧表示する選択メニュー１６１を開く。かかる選択メニュー１６１には、処理対象の病変として出血部位を選択するための出血選択部１６２と、処理対象の病変として褪色調部位を選択するための褪色調選択部１６３とが含まれる。
【０１４１】
具体的には、出血選択部１６２は、入力部１１を用いたクリック操作等によって、所望の病変として出血部位を選択するとともに、出血部位が選択された旨を示すマーク（例えば図１４に示すレ印）を表示する。この場合、入力部１１は、出血部位を選択する旨の選択情報を制御部３５に入力する。上述した対象病変設定部３５ｃは、かかる入力部１１によって入力された出血部位の選択情報をもとに、出血部位を対象病変に設定する。
【０１４２】
褪色調選択部１６３は、入力部１１を用いたクリック操作等によって、所望の病変として褪色調部位を選択するとともに、褪色調部位が選択された旨を示すマーク（例えば図１４に示すレ印）を表示する。この場合、入力部１１は、褪色調部位を選択する旨の選択情報を制御部３５に入力する。上述した対象病変設定部３５ｃは、かかる入力部１１によって入力された褪色調部位の選択情報をもとに、褪色調部位を対象病変に設定する。
【０１４３】
一方、かかる選択メニュー１６１には、図１４に示すように、表示無し選択部１６４がさらに含まれる。表示無し選択部１６４は、出血部位および褪色調部位等の全病変の病変マークを表示しない状態を選択する。具体的には、表示無し選択部１６４は、入力部１１を用いたクリック操作等によって、病変マークの表示無し状態を選択するとともに、かかる表示無し状態が選択された旨を示すマーク（例えばレ印）を表示する。この場合、入力部１１は、表示無し状態を選択する旨の選択情報を制御部３５に入力する。表示制御部３５ａは、かかる入力部１１によって入力された表示無し状態の選択情報をもとに、全病変の病変マーク（例えば図１３に示した病変マーク１２０ａ，１２０ｂ，１２０ｃ）を表示しない制御を行う。かかる表示制御部３５ａの制御によって、病変マークは、上述した病変検出部２５ｂによって画像群ＰＧ内の病変画像が検出された場合であっても、マーク表示領域１２０内に表示されない。なお、表示制御部３５ａは、かかる入力部１１によって入力された表示無し状態の選択情報をもとに、表示部１２に対してマーク表示領域１２０を表示しない制御を行い、これによって、全病変の病変マークを表示させないようにしてもよい。
【０１４４】
つぎに、被検体１内の画像群ＰＧに含まれる各画像を主表示領域１００に表示する制御を行うとともに、この主表示領域１００の現表示画像の時間的な位置を示すスライダ１１１の表示色を制御する制御部３５の動作を説明する。図１５は、実施の形態３にかかる画像表示装置３４の制御部３５の処理手順を説明するフローチャートである。
【０１４５】
制御部３５は、上述した実施の形態２にかかる画像表示装置２４の制御部２５と略同様に、被検体１内の画像群ＰＧに含まれる各画像を主表示領域１００に表示する制御を行うとともに、この主表示領域１００の現表示画像の時間的な位置を示すスライダ１１１の表示色を制御する。この場合、制御部３５は、現表示画像が病変画像以外であれば、このスライダ１１１の表示色をデフォルト色にする。一方、制御部３５は、出血部位が対象病変に設定された状態において、現表示画像が出血画像であれば、このスライダ１１１の表示色を出血の病変色にする。また、制御部３５は、褪色調部位が対象病変に設定された状態において、現表示画像が褪色調画像であれば、このスライダ１１１の表示色を褪色調の病変色にする。
【０１４６】
すなわち、図１５に示すように、制御部３５は、上述したステップＳ４０１〜Ｓ４０３（図１０を参照）と同様の処理手順を行い、被検体１内の画像群ＰＧのフレーム番号ｎを初期化し、画像表示指示の有無を判断し、画像表示指示ありの場合、この画像群ＰＧ内の現フレーム番号の画像を読み込む（ステップＳ５０１〜Ｓ５０３）。
【０１４７】
つぎに、制御部３５は、上述した病変選択部１６０によって選択された病変（すなわち対象病変）を判断する。この場合、制御部３５は、例えば、出血部位が対象病変であるか否かを判断する（ステップＳ５０４）。具体的には、出血部位が病変選択部１６０によって選択された場合、対象病変設定部３５ｃは、入力部１１によって入力された出血部位の選択情報をもとに、出血部位を対象病変に設定する。このように、対象病変設定部３５ｃが出血部位を対象病変に設定していれば、制御部３５は、出血部位が対象病変であると判断し（ステップＳ５０４，Ｙｅｓ）、ステップＳ５０３において読み込んだ現フレーム番号の画像（すなわち表示処理対象の被検体１内の画像）が出血画像であるか否かを判断する（ステップＳ５０５）。この場合、表示制御部３５ａは、上述したステップＳ４０４と同様に、現フレーム番号の画像に出血の病変フラグが付加されていれば、この現フレーム番号の画像が出血画像であると判断し、出血の病変フラグが付加されていなければ、この現フレーム番号の画像が出血画像ではないと判断する。
【０１４８】
このように出血部位が対象病変である状態において、制御部３５は、現フレーム番号の画像が出血画像であると判断した場合（ステップＳ５０５，Ｙｅｓ）、上述したステップＳ４０６と同様に、この現フレーム番号の画像、すなわち、出血画像の時間的な位置を示すスライダ１１１を出血の病変色で表示する制御を行う（ステップＳ５０６）。この場合、表示制御部３５ａは、出血画像である現フレーム番号の画像に対応するタイムバー１１０上の時間的な位置にスライダ１１１を移動させるとともに、かかる出血画像である現フレーム番号の画像の時間的な位置を示すスライダ１１１を出血の病変色（例えば赤色）で表示する制御を行う。
【０１４９】
一方、出血部位が病変選択部１６０によって選択されていなければ、対象病変設定部３５ｃは、出血部位を対象病変に設定しない。このように、対象病変設定部３５ｃが出血部位を対象病変に設定していなければ、制御部３５は、出血部位が対象病変ではないと判断し（ステップＳ５０４，Ｎｏ）、褪色調部位が対象病変であるか否かを判断する（ステップＳ５０７）。具体的には、褪色調部位が病変選択部１６０によって選択された場合、対象病変設定部３５ｃは、入力部１１によって入力された褪色調部位の選択情報をもとに、褪色調部位を対象病変に設定する。このように、対象病変設定部３５ｃが褪色調部位を対象病変に設定していれば、制御部３５は、褪色調部位が対象病変であると判断し（ステップＳ５０７，Ｙｅｓ）、ステップＳ５０３において読み込んだ現フレーム番号の画像が褪色調画像であるか否かを判断する（ステップＳ５０８）。この場合、表示制御部３５ａは、上述したステップＳ４０５と同様に、現フレーム番号の画像に褪色調の病変フラグが付加されていれば、この現フレーム番号の画像が褪色調画像であると判断し、褪色調の病変フラグが付加されていなければ、この現フレーム番号の画像が褪色調画像ではないと判断する。
【０１５０】
このように褪色調部位が対象病変である状態において、制御部３５は、現フレーム番号の画像が褪色調画像であると判断した場合（ステップＳ５０８，Ｙｅｓ）、上述したステップＳ４０７と同様に、この現フレーム番号の画像、すなわち、褪色調画像の時間的な位置を示すスライダ１１１を褪色調の病変色で表示する制御を行う（ステップＳ５０９）。この場合、表示制御部３５ａは、褪色調画像である現フレーム番号の画像に対応するタイムバー１１０上の時間的な位置にスライダ１１１を移動させるとともに、かかる褪色調画像である現フレーム番号の画像の時間的な位置を示すスライダ１１１を褪色調の病変色（例えば白色）で表示する制御を行う。
【０１５１】
一方、褪色調部位が病変選択部１６０によって選択されていなければ、対象病変設定部３５ｃは、褪色調部位を対象病変に設定しない。このように、対象病変設定部３５ｃが褪色調部位を対象病変に設定していなければ、制御部３５は、褪色調部位が対象病変ではないと判断し（ステップＳ５０７，Ｎｏ）、上述したステップＳ４０８と同様に、この現フレーム番号の画像の時間的な位置を示すスライダ１１１をデフォルト色で表示する制御を行う（ステップＳ５１０）。
【０１５２】
なお、制御部３５は、上述したステップＳ５０５において現フレーム番号の画像が出血画像ではないと判断した場合（ステップＳ５０５，Ｎｏ）、ステップＳ５０７に進み、このステップＳ５０７以降の処理手順を繰り返す。また、制御部３５は、上述したステップＳ５０８において現フレーム番号の画像が褪色調画像ではないと判断した場合（ステップＳ５０８，Ｎｏ）、ステップＳ５１０に進み、このステップＳ５１０以降の処理手順を繰り返す。
【０１５３】
すなわち、表示制御部３５ａは、出血部位および褪色調部位のいずれも対象病変ではなければ、ステップＳ５１０において、現フレーム番号の画像の時間的な位置を示すスライダ１１１をデフォルト色（例えば灰色）に表示する制御を行う。この場合、表示制御部３５ａは、この現フレーム番号の画像の内容（すなわち正常な臓器画像または病変画像のいずれであるか）によらず、かかるスライダ１１１の表示色をデフォルト色にする。また、表示制御部３５ａは、出血部位および褪色調部位のうちの出血部位のみが対象病変である場合、現フレーム番号の画像が出血画像ではなければ、ステップＳ５１０において、現フレーム番号の画像の時間的な位置を示すスライダ１１１をデフォルト色に表示する制御を行う。この場合、表示制御部３５ａは、この現フレーム番号の画像が褪色調画像であっても、かかるスライダ１１１の表示色をデフォルト色にする。また、表示制御部３５ａは、出血部位および褪色調部位のうちの褪色調部位のみが対象病変である場合、現フレーム番号の画像が褪色調画像ではなければ、ステップＳ５１０において、現フレーム番号の画像の時間的な位置を示すスライダ１１１をデフォルト色（例えば灰色）に表示する制御を行う。この場合、表示制御部３５ａは、この現フレーム番号の画像が出血画像であっても、かかるスライダ１１１の表示色をデフォルト色にする。
【０１５４】
その後、制御部３５は、上述したステップＳ４０９と同様に、主表示領域１００に現フレーム番号の画像を表示する制御を行う（ステップＳ５１１）。この場合、表示制御部３５ａは、現フレーム番号の画像が正常な臓器画像であれば、この現フレーム番号の正常な臓器画像を主表示領域１００に表示させ、現フレーム番号の画像が出血画像であれば、この現フレーム番号の出血画像を主表示領域１００に表示させ、現フレーム番号の画像が褪色調画像であれば、この現フレーム番号の褪色調画像を主表示領域１００に表示させる。
【０１５５】
なお、このステップＳ５１１において主表示領域１００に表示される画像のフレーム番号（すなわち現フレーム番号）は、上述したステップＳ５０１において初期化したフレーム番号または後述するステップＳ５１２において更新したフレーム番号である。
【０１５６】
つぎに、制御部３５は、上述したステップＳ４１０と同様に、表示処理対象の画像群ＰＧのフレーム番号ｎを更新する（ステップＳ５１２）。そして、制御部３５は、上述したステップＳ４１１と同様に、主表示領域１００の画像の一時停止指示の有無を判断し（ステップＳ５１３）、一時停止指示ありの場合（ステップＳ５１３，Ｙｅｓ）、ステップＳ５０２に戻り、このステップＳ５０２以降の処理手順を繰り返す。
【０１５７】
一方、制御部３５は、一時停止指示なしの場合（ステップＳ５１３，Ｎｏ）、上述したステップＳ４１２と同様に、被検体１内の画像群ＰＧに含まれる画像を主表示領域１００に表示する画像表示処理が終了したか否かを判断する（ステップＳ５１４）。制御部３５は、画像表示処理が終了していないと判断した場合（ステップＳ５１４，Ｎｏ）、ステップＳ５０３に戻り、このステップＳ５０３以降の処理手順を繰り返し、画像表示処理が終了したと判断した場合（ステップＳ５１４，Ｙｅｓ）、かかる被検体１内の画像の画像表示処理を終了する。
【０１５８】
つぎに、複数種類の病変画像の一例である出血部位および褪色調画像を主表示領域１００に表示する場合を例示して、病変選択部１６０によって選択された１以上の病変、すなわち、対象病変設定部３５ｃによって対象病変に設定された１以上の病変（例えば出血部位および褪色調部位の少なくとも一つ）に対応する病変マークおよびスライダ１１１の病変色を表示する制御を行う制御部３５の動作を具体的に説明する。図１６は、対象病変に設定された病変に対応する病変マークおよびスライダ１１１の病変色を表示する制御部３５の動作を説明するための模式図である。
【０１５９】
まず、かかる対象病変に設定された１以上の病変に対応する１以上の病変マークを表示する制御を行う制御部３５の動作を具体的に説明する。制御部３５は、被検体１内の画像群ＰＧに含まれる各画像を主表示領域１００に表示させる前に、対象病変に設定された病変に対応する病変マークをマーク表示領域１２０内に表示させる。例えば、制御部３５は、上述した実施の形態２の場合と同様に、被検体１内の画像群ＰＧに含まれる出血画像Ｐ12，Ｐ13と褪色調画像Ｐ34，Ｐ36とを検出する。
【０１６０】
ここで、出血部位および褪色調部位が対象病変である場合、制御部３５は、図１６に示すように、対象病変である出血部位を被写体に含む出血画像Ｐ12，Ｐ13の時間的な位置を示す病変マーク１２０ａを出血の病変色（例えば赤色）でマーク表示領域１２０内に表示させるとともに、対象病変である褪色調部位を被写体に含む褪色調画像Ｐ34，Ｐ36の時間的な位置を示す病変マーク１２０ｃを褪色調の病変色（例えば白色）でマーク表示領域１２０内に表示させる。
【０１６１】
一方、出血部位および褪色調部位のうちの出血部位のみが対象病変である場合、制御部３５は、図１６に示すように、対象病変である出血部位を被写体に含む出血画像Ｐ12，Ｐ13の時間的な位置を示す病変マーク１２０ａを出血の病変色でマーク表示領域１２０内に表示させる。これに対し、制御部３５は、かかる対象病変（出血部位）を被写体に含んでいない褪色調画像Ｐ34，Ｐ36の時間的な位置を示す病変マーク１２０ｃをマーク表示領域１２０内に表示しない。
【０１６２】
他方、出血部位および褪色調部位のうちの褪色調部位のみが対象病変である場合、制御部３５は、図１６に示すように、対象病変である褪色調部位を被写体に含む褪色調画像Ｐ34，Ｐ36の時間的な位置を示す病変マーク１２０ｃを褪色調の病変色でマーク表示領域１２０内に表示させる。これに対し、制御部３５は、かかる対象病変（褪色調部位）を被写体に含んでいない出血画像Ｐ12，Ｐ13の時間的な位置を示す病変マーク１２０ａをマーク表示領域１２０内に表示しない。
【０１６３】
つぎに、かかる対象病変に設定された病変に対応する病変色をスライダ１１１に表示する制御を行う制御部３５の動作を具体的に説明する。制御部３５は、入力部１１によって入力された表示指示情報に基づいて、被検体１内の画像群に含まれる画像Ｐn（ｎ＝１，２，３，・・・）を主表示領域１００に表示する制御を行うとともに、主表示領域１００に現に表示している現表示画像の時間的な位置を示すようにスライダ１１１をタイムバー１１０に沿って移動させる。
【０１６４】
ここで、出血部位および褪色調部位が対象病変である場合、制御部３５は、上述したように、マーク表示領域１２０内にバー状の病変マーク１２０ａ，１２０ｃを既に表示させている。なお、かかる病変マーク１２０ａは、被検体１内の画像Ｐ11，Ｐ14と出血画像Ｐ12，Ｐ13とを含む部分画像群（すなわちフレーム番号ｎ＝１１〜１４の部分画像群）を代表する。また、かかる病変マーク１２０ｃは、被検体１内の褪色調画像Ｐ34，Ｐ36と画像Ｐ31，Ｐ32，Ｐ33，Ｐ35，Ｐ37とを含む部分画像群（すなわちフレーム番号ｎ＝３１〜３７の部分画像群）を代表する。
【０１６５】
制御部３５は、主表示領域１００の現表示画像が正常な臓器画像である場合、この正常な臓器画像の時間的な位置を示すスライダ１１１をデフォルト色で表示する制御を行う。これに対し、制御部３５は、出血部位および褪色調部位が対象病変である状態において、主表示領域１００の現表示画像が出血画像Ｐ12または出血画像Ｐ13であれば、かかる病変マーク１２０ａの表示範囲内に位置するスライダ１１１のデフォルト色を出血の病変色に変更する制御を行う。この場合、制御部３５は、かかる対象病変に対応する出血画像Ｐ12，Ｐ13の時間的な位置を示すスライダ１１１の表示色を病変マーク１２０ａと同色である出血の病変色（例えば赤色）にする。
【０１６６】
また、制御部３５は、出血部位および褪色調部位が対象病変である状態において、主表示領域１００の現表示画像が褪色調画像Ｐ34または褪色調画像Ｐ36であれば、かかる病変マーク１２０ｃの表示範囲内に位置するスライダ１１１のデフォルト色を褪色調の病変色に変更する制御を行う。この場合、制御部３５は、かかる対象病変に対応する褪色調画像Ｐ34，Ｐ36の時間的な位置を示すスライダ１１１の表示色を病変マーク１２０ｃと同色である褪色調の病変色（例えば白色）にする。
【０１６７】
なお、制御部３５は、主表示領域１００の現表示画像が画像Ｐ11，Ｐ14等の正常な臓器画像であれば、スライダ１１１が病変マーク１２０ａの表示範囲内に位置する場合であっても、このスライダ１１１の表示色をデフォルト色にする。これと同様に、制御部３５は、主表示領域１００の現表示画像が画像Ｐ31，Ｐ32，Ｐ33，Ｐ35，Ｐ37等の正常な臓器画像であれば、スライダ１１１が病変マーク１２０ｃの表示範囲内に位置する場合であっても、このスライダ１１１の表示色をデフォルト色にする。
【０１６８】
一方、出血部位および褪色調部位のうちの出血部位のみが対象病変である場合、制御部３５は、図１６に示すように、マーク表示領域１２０内にバー状の病変マーク１２０ａを既に表示させ、病変マーク１２０ｃを表示させない。制御部３５は、主表示領域１００の現表示画像が正常な臓器画像である場合、タイムバー１１０上の位置によらず、この正常な臓器画像の時間的な位置を示すスライダ１１１をデフォルト色で表示する制御を行う。
【０１６９】
このような制御部３５は、出血部位のみが対象病変である状態において、主表示領域１００の現表示画像が出血画像Ｐ12または出血画像Ｐ13であれば、出血部位および褪色調部位が対象病変である場合と同様に、かかる病変マーク１２０ａの表示範囲内に位置するスライダ１１１のデフォルト色を出血の病変色に変更する制御を行う。これに対し、制御部３５は、褪色調部位ではなく出血部位のみが対象病変であるため、主表示領域１００の現表示画像が褪色調画像Ｐ34または褪色調画像Ｐ36であっても、かかる褪色調画像Ｐ34，Ｐ36の時間的な位置を示すスライダ１１１の表示色をデフォルト色にする。すなわち、制御部３５は、出血部位のみが対象病変である場合、この対象病変である出血部位を被写体に含む出血画像の時間的な位置を示す状態のスライダ１１１のみを出血の病変色で表示し、これ以外の状態のスライダ１１１をデフォルト色で表示する。
【０１７０】
他方、出血部位および褪色調部位のうちの褪色調部位のみが対象病変である場合、制御部３５は、図１６に示すように、マーク表示領域１２０内にバー状の病変マーク１２０ｃを既に表示させ、病変マーク１２０ａを表示させない。制御部３５は、主表示領域１００の現表示画像が正常な臓器画像である場合、タイムバー１１０上の位置によらず、この正常な臓器画像の時間的な位置を示すスライダ１１１をデフォルト色で表示する制御を行う。
【０１７１】
このような制御部３５は、褪色調部位のみが対象病変である状態において、主表示領域１００の現表示画像が褪色調画像Ｐ34または褪色調画像Ｐ36であれば、出血部位および褪色調部位が対象病変である場合と同様に、かかる病変マーク１２０ｃの表示範囲内に位置するスライダ１１１のデフォルト色を褪色調の病変色に変更する制御を行う。これに対し、制御部３５は、出血部位ではなく褪色調部位のみが対象病変であるため、主表示領域１００の現表示画像が出血画像Ｐ12または出血画像Ｐ13であっても、かかる出血画像Ｐ12，Ｐ13の時間的な位置を示すスライダ１１１の表示色をデフォルト色にする。すなわち、制御部３５は、褪色調部位のみが対象病変である場合、この対象病変である褪色調部位を被写体に含む褪色調画像の時間的な位置を示す状態のスライダ１１１のみを褪色調の病変色で表示し、これ以外の状態のスライダ１１１をデフォルト色で表示する。
【０１７２】
このように、制御部３５が病変マークの表示を制御することによって、マーク表示領域１２０は、病変選択部１６０によって選択された所望の病変に対応する病変マークのみを表示できる。このため、複数種類の病変画像が混在する被検体１内の画像群ＰＧの中から、所望の病変（例えば出血部位、褪色調部位等）が撮像された病変画像の時間的な位置を示すことができる。この結果、被検体１内の画像群ＰＧに複数種類の病変画像が混在する場合であっても、他の病変画像の時間的な位置を示す病変マークに惑わされることなく、観察すべき所望の病変画像の時間的な位置を容易に確認することができる。
【０１７３】
また、このように、制御部３５がスライダ１１１の表示色を制御することによって、スライダ１１１は、上述した実施の形態２の場合と同様に、主表示領域１００の現表示画像の観察を妨げることなく、その表示色によって、この現表示画像が病変画像であるか否か、さらには、この病変画像が出血画像または褪色調画像のいずれであるかを表示することができる。
【０１７４】
さらに、かかるスライダ１１１は、病変選択部１６０によって選択された所望の病変を示す病変画像が主表示領域１００に現に表示される場合のみ、この病変画像の示す病変に対応する病変色を表示するため、主表示領域１００の現表示画像が観察すべき所望の病変画像であるか否かを容易に示すことができる。この結果、被検体１内の画像群ＰＧに複数種類の病変画像が混在する場合であっても、観察すべき所望の病変画像が主表示領域１００に現に表示された旨を容易に示すことができる。
【０１７５】
したがって、医師または看護師等のユーザは、かかるスライダ１１１の表示色変化に阻害されずに主表示領域１００の現表示画像を観察できるとともに、かかるスライダ１１１の病変色を視認することによって、この現表示画像が観察すべき所望の病変画像である旨と、この病変画像の示す病変の種類（出血部位または褪色調部位）とを容易に理解できる。この結果、ユーザは、被検体１内の画像群ＰＧに複数種類の病変画像が含まれる場合であっても、主表示領域１００に順次表示された被検体１内の画像群の中から観察すべき所望の病変画像を容易に探し出して表示できるとともに、この病変画像の示す病変の種類（出血部位または褪色調部位）を容易に特定することができ、かかる所望の病変画像を効率的に観察することができる。
【０１７６】
以上、説明したように、本発明の実施の形態３では、上述した実施の形態２の機能に加え、複数種類の病変の中から１以上の所望の病変を選択し、この選択した病変（対象病変）が撮像された病変画像の時間的な位置を示す病変マークを表示するようにし、かかる対象病変の病変画像が主表示領域の現表示画像である場合に、この現表示画像、すなわち、かかる対象病変の病変画像の時間的な位置を示すスライダの表示色をこの対象病変に対応する病変色で表示するように構成した。このため、表示処理対象の被検体内の画像群に複数種類の病変画像が含まれる場合であっても、かかる複数種類の病変画像のうちの所望の病変画像の時間的な位置を容易に表示できるとともに、この主表示領域に表示された画像が所望の病変画像であるか否かを容易に判断できる。この結果、上述した実施の形態２の作用効果を享受するとともに、被検体内の画像群に含まれる複数種類の病変画像の中から観察すべき所望の病変画像を選択でき、選択した所望の病変画像を容易に観察できる画像表示装置を実現することができる。
【０１７７】
（実施の形態４）
つぎに、本発明の実施の形態４について説明する。上述した実施の形態３では、複数種類の病変の中から所望の病変を選択し、選択した所望の病変に対応する病変マークおよびスライダ１１１の病変色を表示していたが、この実施の形態４では、さらに、主表示領域１００に対する画像の表示モードを選択するようにし、選択した表示モードで被検体１内の画像群ＰＧを主表示領域１００に表示するようにしている。
【０１７８】
図１７は、本発明の実施の形態４にかかる画像表示装置の一構成例を模式的に示すブロック図である。図１７に示すように、この実施の形態４にかかる画像表示装置４４は、上述した実施の形態３にかかる画像表示装置３４の制御部３５に代えて制御部４５を有する。かかる画像表示装置４４において、表示部１２は、主表示領域１００に対する画像の表示モードを選択するためのＧＵＩであるモード選択部１７０をさらに表示する。また、本発明の実施の形態４にかかる被検体内情報取得システムは、上述した実施の形態３にかかる被検体内情報取得システムの画像表示装置３４に代えて画像表示装置４４を有する。その他の構成は実施の形態３と同じであり、同一構成部分には同一符号を付している。
【０１７９】
制御部４５は、上述した実施の形態３にかかる画像表示装置３４の制御部３５と略同様に、入力部１１、表示部１２、カードＩ／Ｆ１３、および記憶部１４をそれぞれ制御し、かかる各構成部間の情報の入出力を制御する。また、制御部４５は、上述した制御部３５と同様の対象病変設定機能と、対象病変に対応する病変マークおよびスライダ１１１の病変色の表示制御機能とを有する。このような制御機能に加え、制御部４５は、表示部１２に表示されたモード選択部１７０によって選択された画像の表示モードを設定し、設定した表示モードの画像表示制御を行う。このような制御部４５は、上述した病変検出部２５ｂおよび対象病変設定部３５ｃを有し、実施の形態３の制御部３５の表示制御部３５ａに代えて表示制御部４５ａを有する。さらに、制御部４５は、かかるモード選択部１７０によって選択された表示モードを主表示領域１００に対する画像の表示モードに設定するモード設定部４５ｃを有する。
【０１８０】
表示制御部４５ａは、上述した制御部３５の表示制御部３５ａと同様に、対象病変に対応する病変マークの表示制御機能と、対象病変に対応するスライダ１１１の病変色の表示制御機能とを有する。さらに、表示制御部４５ａは、モード設定部４５ｄによって設定された画像の表示モードに基づいて画像の表示制御を行う。かかるモード設定部４５ｄによって設定される画像の表示モードには、表示処理対象の被検体１内の画像群ＰＧを主表示領域１００に表示する通常再生モードと、この画像群ＰＧ内のうちの対象病変に対応する病変画像を表示する病変再生モードとが含まれる。表示制御部４５ａは、モード設定部４５ｄによって通常再生モードが設定された場合、かかる通常再生モードに基づいて、被検体１内の画像群ＰＧに含まれる各画像を主表示領域１００に表示する制御を行う。一方、表示制御部４５ａは、モード設定部４５ｄによって病変再生モードが設定された場合、かかる病変再生モードに基づいて、被検体１内の画像群ＰＧに含まれる複数種類の病変画像のうちの対象病変に対応する病変画像を抽出し、抽出した病変画像を主表示領域１００に表示する制御を行う。
【０１８１】
モード設定部４５ｄは、表示部１２に表示されたモード選択部１７０によって選択された表示モードを主表示領域１００に対する画像の表示モードに設定する。この場合、モード設定部４５ｄは、かかる主表示領域１００に対する画像の表示モードとして、上述した通常再生モードおよび病変再生モードのいずれかを設定する。
【０１８２】
つぎに、表示部１２の表示態様を具体的に例示し、表示部１２に表示されるＧＵＩと表示部１２の表示動作を制御する表示制御部４５ａの動作とを説明する。図１８は、主表示領域１００に対する画像の表示モードを選択するＧＵＩであるモード選択部１７０をさらに表示した表示部１２の表示態様を例示する模式図である。
【０１８３】
図１８に示すように、この画像表示装置４４の表示部１２に表示されるウィンドウＷでは、通常再生モードまたは病変再生モードのいずれかを選択するＧＵＩである病変選択部１７０が追加形成される。また、かかるウィンドウＷの主表示領域１００は、モード選択部１７０によって通常再生モードが選択された場合、被検体１内の画像群ＰＧに含まれる各画像を表示し、モード選択部１７０によって病変再生モードが選択された場合、この画像群ＰＧに含まれる複数種類の病変画像のうちの対象病変に対応する病変画像を表示する。かかるウィンドウＷの他の表示態様は、上述した実施の形態３の場合と同じである。
【０１８４】
モード選択部１７０は、通常再生モードを選択するためのＧＵＩである通常再生選択部１７１と、病変再生モードを選択するためのＧＵＩである病変再生選択部１７２とを有する。かかる通常再生選択部１７１および病変再生選択部１７２は、例えば押しボタンの態様で表示部１２に表示される。
【０１８５】
通常再生選択部１７１は、入力部１１を用いたクリック操作等によって通常再生モードを選択する。この場合、入力部１１は、通常再生モードを選択する旨の選択情報を制御部４５に入力する。上述したモード設定部４５ｄは、かかる入力部１１によって入力された通常再生モードの選択情報をもとに、主表示領域１００に対する画像の表示モードを通常再生モードに設定する。
【０１８６】
病変再生選択部１７２は、入力部１１を用いたクリック操作等によって病変再生モードを選択する。この場合、入力部１１は、病変再生モードを選択する旨の選択情報を制御部４５に入力する。上述したモード設定部４５ｄは、かかる入力部１１によって入力された病変再生モードの選択情報をもとに、主表示領域１００に対する画像の表示モードを病変再生モードに設定する。
【０１８７】
つぎに、複数種類の病変画像（例えば出血画像および褪色調画像）を含む被検体１内の画像群ＰＧを表示処理対象の画像群にし、病変再生モードに基づいて、この画像群ＰＧ内の病変画像を主表示領域１００に表示する制御を行うとともに、この主表示領域１００の現表示画像の時間的な位置を示すスライダ１１１の表示色を制御する制御部４５の動作を説明する。図１９は、病変再生モードに基づいて主表示領域１００に被検体１内の病変画像を表示する制御を行う制御部４５の処理手順を説明するフローチャートである。
【０１８８】
制御部４５は、モード選択部１７０（具体的には病変再生選択部１７２）によって病変再生モードが選択された場合、かかる病変再生モードに基づいて、画像群ＰＧ内の複数種類の病変画像のうちの対象病変に対応する病変画像を主表示領域１００に表示する制御を行うとともに、この主表示領域１００に現に表示される病変画像の時間的な位置を示すスライダ１１１の表示色を制御する。この場合、制御部４５は、かかる病変画像の時間的な位置を示すスライダ１１１をこの対象病変に対応する病変色で表示する制御を行う。
【０１８９】
具体的には、図１９に示すように、制御部４５は、まず、モード選択部１７０によって選択された病変再生モードを設定する（ステップＳ６０１）。この場合、モード設定部４５ｄは、入力部１１によって入力された病変再生モードの選択情報をもとに、主表示領域１００に対する画像の表示モードを病変再生モードに設定する。
【０１９０】
つぎに、制御部４５は、上述したステップＳ５０１〜Ｓ５０３（図１５を参照）と同様の処理手順を行い、被検体１内の画像群ＰＧのフレーム番号ｎを初期化し、画像表示指示の有無を判断し、画像表示指示ありの場合、この画像群ＰＧ内の現フレーム番号の画像を読み込む（ステップＳ６０２〜Ｓ６０４）。
【０１９１】
続いて、制御部４５は、上述した病変選択部１６０によって選択された病変（すなわち対象病変）を判断する。この場合、制御部４５は、例えば上述したステップＳ５０４と同様に、出血部位が対象病変であるか否かを判断する（ステップＳ６０５）。制御部４５は、このステップＳ６０５において出血部位が対象病変であると判断した場合（ステップＳ６０５，Ｙｅｓ）、ステップＳ６０４において読み込んだ現フレーム番号の画像が出血画像であるか否かを判断する（ステップＳ６０６）。この場合、表示制御部４５ａは、上述したステップＳ５０５と同様に、現フレーム番号の画像に出血の病変フラグが付加されていれば、この現フレーム番号の画像が出血画像であると判断し、出血の病変フラグが付加されていなければ、この現フレーム番号の画像が出血画像ではないと判断する。
【０１９２】
このように出血部位が対象病変である状態において、制御部４５は、現フレーム番号の画像が出血画像であると判断した場合（ステップＳ６０６，Ｙｅｓ）、上述したステップＳ５０６と同様に、この現フレーム番号の画像、すなわち、対象病変に対応する出血画像の時間的な位置を示すスライダ１１１を出血の病変色で表示する制御を行う（ステップＳ６０７）。この場合、表示制御部４５ａは、出血画像である現フレーム番号の画像に対応するタイムバー１１０上の時間的な位置にスライダ１１１を移動させるとともに、かかる出血画像である現フレーム番号の画像の時間的な位置を示すスライダ１１１を出血の病変色（例えば赤色）で表示する制御を行う。
【０１９３】
一方、制御部４５は、上述したステップＳ６０５において出血部位が対象病変ではないと判断した場合（ステップＳ６０５，Ｎｏ）、上述したステップＳ５０７と同様に、褪色調画像が対象病変であるか否かを判断する（ステップＳ６０８）。制御部４５は、このステップＳ６０８において褪色調部位が対象病変であると判断した場合（ステップＳ６０８，Ｙｅｓ）、ステップＳ６０４において読み込んだ現フレーム番号の画像が褪色調画像であるか否かを判断する（ステップＳ６０９）。この場合、表示制御部４５ａは、上述したステップＳ５０８と同様に、現フレーム番号の画像に褪色調の病変フラグが付加されていれば、この現フレーム番号の画像が褪色調画像であると判断し、褪色調の病変フラグが付加されていなければ、この現フレーム番号の画像が褪色調画像ではないと判断する。
【０１９４】
このように褪色調部位が対象病変である状態において、制御部４５は、現フレーム番号の画像が褪色調画像であると判断した場合（ステップＳ６０９，Ｙｅｓ）、上述したステップＳ５０９と同様に、この現フレーム番号の画像、すなわち、対象病変に対応する褪色調画像の時間的な位置を示すスライダ１１１を褪色調の病変色で表示する制御を行う（ステップＳ６１０）。この場合、表示制御部４５ａは、褪色調画像である現フレーム番号の画像に対応するタイムバー１１０上の時間的な位置にスライダ１１１を移動させるとともに、かかる褪色調画像である現フレーム番号の画像の時間的な位置を示すスライダ１１１を褪色調の病変色（例えば白色）で表示する制御を行う。
【０１９５】
その後、制御部３５は、対象病変に対応する病変画像である現フレーム番号の画像を主表示領域１００に表示する制御を行う（ステップＳ６１１）。具体的には、表示制御部４５ａは、出血部位および褪色調部位が対象病変である場合、現フレーム番号の画像が出血画像であれば、この現フレーム番号の出血画像を主表示領域１００に表示させ、現フレーム番号の画像が褪色調画像であれば、この現フレーム番号の褪色調画像を主表示領域１００に表示させる。一方、表示制御部４５ａは、出血部位および褪色調部位のうちの出血部位のみが対象病変である場合、現フレーム番号の画像が出血画像であれば、この現フレーム番号の出血画像を主表示領域１００に表示させる。また、表示制御部４５ａは、出血部位および褪色調部位のうちの褪色調部位のみが対象病変である場合、現フレーム番号の画像が褪色調画像であれば、この現フレーム番号の褪色調画像を主表示領域１００に表示させる。
【０１９６】
このように、対象病変に対応する病変画像（出血画像または褪色調画像）が主表示領域１００に表示された場合、スライダ１１１は、この主表示領域１００の病変画像の示す病変（すなわち対象病変）に対応する病変色を表示する。かかるスライダ１１１の病変色は、上述したように、この主表示領域１００の病変画像の時間的な位置を示す病変マークと同色である。
【０１９７】
なお、このステップＳ６１１において主表示領域１００に表示される病変画像のフレーム番号（すなわち現フレーム番号）は、上述したステップＳ６０２において初期化したフレーム番号または後述するステップＳ６１２において更新したフレーム番号である。
【０１９８】
つぎに、制御部４５は、上述したステップＳ５１２と同様に、表示処理対象の画像群ＰＧのフレーム番号ｎを更新する（ステップＳ６１２）。そして、制御部４５は、上述したステップＳ５１４と同様に、被検体１内の画像群ＰＧに含まれる病変画像を主表示領域１００に表示する病変再生モードの画像表示処理が終了したか否かを判断する（ステップＳ６１３）。
【０１９９】
制御部４５は、かかる病変再生モードの画像表示処理が終了していないと判断した場合（ステップＳ６１３，Ｎｏ）、ステップＳ６０４に戻り、このステップＳ６０４以降の処理手順を繰り返す。一方、制御部４５は、かかる病変再生モードの画像表示処理が終了したと判断した場合（ステップＳ６１３，Ｙｅｓ）、かかる病変再生モードの画像表示処理を終了する。
【０２００】
一方、制御部４５は、上述したステップＳ６０６において現フレーム番号の画像が出血画像ではないと判断した場合（ステップＳ６０６，Ｎｏ）、ステップＳ６０８に進み、このステップＳ６０８以降の処理手順を繰り返す。また、制御部４５は、上述したステップＳ６０８において褪色調部位が対象病変ではないと判断した場合（ステップＳ６０８，Ｎｏ）、または、上述したステップＳ６０９において現フレーム番号の画像が褪色調画像ではないと判断した場合（ステップＳ６０９，Ｎｏ）、ステップＳ６１２に進み、このステップＳ６１２以降の処理手順を繰り返す。
【０２０１】
すなわち、制御部４５は、出血部位および褪色調部位のいずれも対象病変ではない場合、被検体１内の画像群ＰＧを主表示領域１００に表示せずに、かかる病変再生モードの画像表示処理を終了する。また、制御部４５は、出血部位および褪色調部位が対象病変である場合、現フレーム番号の画像が出血画像および褪色調画像のいずれでもなければ（例えば正常な臓器画像であれば）、上述したステップＳ６１１をスキップし、この現フレーム番号の画像を主表示領域１００に表示させない。さらに、制御部４５は、出血部位および褪色調部位のうちの出血部位のみが対象病変である場合、現フレーム番号の画像が出血画像でなければ（例えば正常な臓器画像または褪色調画像であれば）、上述したステップＳ６１１をスキップし、この現フレーム番号の画像を主表示領域１００に表示させない。また、制御部４５は、出血部位および褪色調部位のうちの褪色調部位のみが対象病変である場合、現フレーム番号の画像が褪色調画像でなければ（例えば正常な臓器画像または出血画像であれば）、上述したステップＳ６１１をスキップし、この現フレーム番号の画像を主表示領域１００に表示させない。
【０２０２】
このような制御部４５は、上述したステップＳ６０１〜Ｓ６１３の処理手順を繰り返すことによって、被検体１内の画像群ＰＧに含まれる複数種類の病変画像のうちの対象病変の病変画像を擬似動画的に主表示領域１００に再生することができる。
【０２０３】
なお、このような制御部４５は、モード選択部１７０（具体的には通常再生選択部１７１）によって通常再生モードが選択された場合、上述したように、主表示領域１００に対する画像の表示モードを通常再生モードに設定し、設定した通常再生モードに基づいて、被検体１内の画像群ＰＧに含まれる各画像を主表示領域１００に表示する制御を行う。この場合、制御部４５は、上述したステップＳ５０１〜Ｓ５１４の処理手順を繰り返し、かかる通常再生モードの画像表示処理を実行するとともに、スライダ１１１の表示色を制御する。
【０２０４】
つぎに、複数種類の病変画像の一例である出血部位および褪色調画像を含む被検体１内の画像群ＰＧを例示して、病変再生モードに基づいて、この画像群ＰＧ内の病変画像を主表示領域１００に表示する制御を行う制御部４５の動作を具体的に説明する。図２０は、複数種類の病変画像のうちの対象病変を被写体に含む病変画像を主表示領域１００に表示する制御部４５の動作を説明するための模式図である。
【０２０５】
図２０に示すように、制御部４５は、例えば被検体１内の画像群ＰＧに含まれる出血画像Ｐ12，Ｐ13と褪色調画像Ｐ34，Ｐ36とを検出する。制御部４５は、モード選択部１７０によって病変再生モードが選択された場合、病変選択部１６０によって選択された病変（すなわち対象病変）を被写体に含む病変画像を画像群ＰＧの中から抽出し、抽出した病変画像を時系列に沿って主表示領域１００に順次表示する制御を行う。
【０２０６】
具体的には、出血部位および褪色調部位が対象病変である場合、制御部４５は、図２０に示すように、対象病変である出血部位を被写体に含む出血画像Ｐ12，Ｐ13と、対象病変である褪色調部位を被写体に含む褪色調画像Ｐ34，Ｐ36とを画像群ＰＧの中から抽出し、抽出した出血画像Ｐ12，Ｐ13と褪色調画像Ｐ34，Ｐ36とを時系列に沿って主表示領域１００に順次表示する制御を行う。かかる制御部４５の制御によって、主表示領域１００は、かかる対象病変に対応する出血画像Ｐ12，Ｐ13と褪色調画像Ｐ34，Ｐ36とを擬似動画的に順次表示する。
【０２０７】
また、制御部４５は、かかる主表示領域１００に順次表示される病変画像（出血画像Ｐ12，Ｐ13および褪色調画像Ｐ34，Ｐ36）の時間的な位置を順次示すようにスライダ１１１をタイムバー１１０に沿って移動させるとともに、かかるスライダ１１１の病変色を制御する。具体的には、制御部４５は、主表示領域１００に出血画像Ｐ12，Ｐ13のいずれかが表示される場合にスライダ１１１の表示色を出血の病変色（例えば赤色）にし、主表示領域１００に褪色調画像Ｐ34，Ｐ36のいずれかが表示される場合にスライダ１１１の表示色を褪色調の病変色（例えば白色）にする。
【０２０８】
一方、出血部位および褪色調部位のうちの出血部位のみが対象病変である場合、制御部４５は、図２０に示すように、対象病変である出血部位を被写体に含む出血画像Ｐ12，Ｐ13を画像群ＰＧの中から抽出し、抽出した出血画像Ｐ12，Ｐ13を時系列に沿って主表示領域１００に順次表示する制御を行う。かかる制御部４５の制御によって、主表示領域１００は、かかる対象病変に対応する出血画像Ｐ12，Ｐ13を擬似動画的に順次表示する。
【０２０９】
また、制御部４５は、かかる主表示領域１００に順次表示される出血画像Ｐ12，Ｐ13の時間的な位置を順次示すようにスライダ１１１をタイムバー１１０に沿って移動させるとともに、かかるスライダ１１１の病変色を制御する。具体的には、制御部４５は、主表示領域１００に出血画像Ｐ12，Ｐ13のいずれかが表示される場合にスライダ１１１の表示色を出血の病変色にする。
【０２１０】
他方、出血部位および褪色調部位のうちの褪色調部位のみが対象病変である場合、制御部４５は、図２０に示すように、対象病変である褪色調部位を被写体に含む褪色調画像Ｐ34，Ｐ36を画像群ＰＧの中から抽出し、抽出した褪色調画像Ｐ34，Ｐ36を時系列に沿って主表示領域１００に順次表示する制御を行う。かかる制御部４５の制御によって、主表示領域１００は、かかる対象病変に対応する褪色調画像Ｐ34，Ｐ36を擬似動画的に順次表示する。
【０２１１】
また、制御部４５は、かかる主表示領域１００に順次表示される褪色調画像Ｐ34，Ｐ36の時間的な位置を順次示すようにスライダ１１１をタイムバー１１０に沿って移動させるとともに、かかるスライダ１１１の病変色を制御する。具体的には、制御部４５は、主表示領域１００に褪色調画像Ｐ34，Ｐ36のいずれかが表示される場合にスライダ１１１の表示色を褪色調の病変色にする。
【０２１２】
このように、制御部４５が対象病変の病変画像を表示する制御を行うことによって、主表示領域１００は、病変選択部１６０によって選択された所望の病変を被写体に含む病変画像を択一的に表示できる。このため、複数種類の病変画像が混在する被検体１内の画像群ＰＧの中から、所望の病変（例えば出血部位、褪色調部位等）が撮像された１以上の病変画像を容易に表示することができる。この結果、被検体１内の画像群ＰＧに複数種類の病変画像が混在する場合であっても、観察すべき所望の病変画像を時系列に沿って擬似動画的に表示することができる。
【０２１３】
したがって、医師または看護師等のユーザは、スライダ１１１の表示色変化に阻害されずに、主表示領域１００に現に表示された所望の病変画像を容易に観察できるとともに、スライダ１１１の病変色を視認することによって、この主表示領域１００に順次表示された複数種類の病変画像がそれぞれ示す各病変の種類（出血部位、褪色調部位等）を容易に判断できる。この結果、ユーザは、被検体１内の画像群ＰＧに複数種類の病変画像が含まれる場合であっても、被検体１内の画像群の中から観察すべき所望の病変画像を主表示領域１００に容易且つ短時間に表示できるとともに、かかる病変画像の示す病変の種類を容易に特定することができ、かかる所望の病変画像をより効率的に観察することができる。
【０２１４】
以上、説明したように、本発明の実施の形態４では、上述した実施の形態３の機能に加え、被検体内の画像群に含まれる各画像を主表示領域に表示する通常再生モードと被検体内の画像群に含まれる病変画像を主表示領域に表示する病変再生モードとを択一的に選択し、かかる病変再生モードを選択した場合、複数種類の病変の中から選択された所望の病変（対象病変）の病変画像を被検体内の画像群の中から抽出し、抽出した対象病変の病変画像を時系列に沿って主表示領域に順次表示するように構成した。このため、表示処理対象の被検体内の画像群に複数種類の病変画像が含まれる場合であっても、かかる複数種類の病変画像のうちの所望の病変画像を択一的に表示できる。この結果、上述した実施の形態３の作用効果を享受するとともに、被検体内の画像群に含まれる複数種類の病変画像のうちの所望の病変画像を短時間に表示でき、所望の病変画像をより効率的に観察できる画像表示装置を実現することができる。
【０２１５】
なお、本発明の実施の形態１〜４では、病変画像の被写体に含まれる病変として、出血部位または褪色調部位を例示したが、これに限らず、かかる病変画像の示す病変は、出血部位および褪色調部位の他に、発赤部位、凝固血部位、糜爛部位、潰瘍部位等の体内に発生し得る各種病変であってもよい。
【０２１６】
また、本発明の実施の形態２〜４では、複数種類の病変として、出血部位および褪色調部位を例示したが、これに限らず、出血部位、褪色調部位、発赤部位、凝固血部位、糜爛部位、潰瘍部位等の体内に発生し得る各種病変であってもよい。この場合、病変検出部２５ｂは、上述した出血画像および褪色調画像の場合と同様に、画像の色情報（平均色、ＲＧＢの各色要素の値等）をもとに病変画像であるか否かを判断し、病変画像である場合、この病変画像の示す病変（出血部位、褪色調部位、発赤部位、凝固血部位、糜爛部位、潰瘍部位等）に対応する病変フラグをこの病変画像に付加すればよい。また、上述した病変マークおよびスライダ１１１の病変色は、かかる複数種類の病変の種類別に異なる色に設定すればよい。
【０２１７】
さらに、本発明の実施の形態３，４では、出血部位および褪色調部位のうちの少なくとも一つを選択していたが、これに限らず、病変選択部１６０によって選択される１以上の病変は、出血部位、褪色調部位、発赤部位、凝固血部位、糜爛部位、潰瘍部位等の体内に発生し得る各種病変のうちの少なくとも一つであればよい。この場合、かかる病変選択部１６０の選択メニューには、出血部位、褪色調部位、発赤部位、凝固血部位、糜爛部位、潰瘍部位等の複数種類の病変を選択肢に加えればよい。
【０２１８】
また、本発明の実施の形態１〜４では、病変画像の示す病変に対応する病変色（すなわち上述した病変マークおよびスライダ１１１の病変色）とスライダ１１１のデフォルト色とを設定する表示色情報を予め記憶部１４に保存し、かかる表示色情報によって設定される病変色を病変マークおよびスライダ１１１の病変色にしていたが、これに限らず、かかる病変マークおよびスライダ１１１の病変色は、病変画像の示す病変の色に近似するものであることが望ましく、病変画像の平均色であってもよい。
【０２１９】
さらに、本発明の実施の形態２〜４では、被検体１内の画像群ＰＧに含まれる複数の病変画像のそれぞれの時間的な位置を示す複数の病変マークを１つのマーク表示領域１２０内に表示していたが、これに限らず、病変の種類別に複数のマーク表示領域を形成し、かかる複数のマーク表示領域に、病変の種類別に分類される複数の病変マークをそれぞれ表示してもよい。
【０２２０】
また、本発明の実施の形態１〜４では、携帯型記録媒体５から被検体１内の画像群ＰＧを取り込む際に、この画像群ＰＧ内の１以上の病変画像を検出していたが、これに限らず、かかる携帯型記録媒体５から取り込んだ画像群ＰＧを記憶部１４に保存し、その後、この記憶部１４内の画像群ＰＧに含まれる１以上の病変画像を検出してもよい。この場合、上述した実施の形態３，４では、画像群ＰＧに含まれる病変画像のうち、病変選択部１６０によって選択された病変を被写体に含む１以上の病変画像を画像群ＰＧから検出してもよい。
【０２２１】
さらに、本発明の実施の形態１〜４では、現に主表示領域１００に病変画像が表示される場合、この病変画像の時間的な位置を示すスライダ１１１の表示色を病変色に変更していたが、これに限らず、スライダ１１１の表示色は、かかる主表示領域１００の現表示画像によらず、所定の色（例えばデフォルト色）で表示してもよい。すなわち、スライダ１１１の表示色は変更しなくてもよい。
【図面の簡単な説明】
【０２２２】
【図１】本発明の実施の形態１にかかる画像表示装置を有する被検体内情報取得システムの一構成例を例示する模式図である。
【図２】本発明の実施の形態１にかかる画像表示装置の一構成例を模式的に示すブロック図である。
【図３】表示部の表示態様の一具体例を示す模式図である。
【図４】被検体内の画像群に含まれる１種類の病変画像を検出する制御部の処理手順を例示するフローチャートである。
【図５】実施の形態１にかかる画像表示装置の制御部の処理手順を説明するフローチャートである。
【図６】スライダの表示色を出血部位に対応する病変色に変更する制御部の動作を説明するための模式図である。
【図７】本発明の実施の形態２にかかる画像表示装置の一構成例を模式的に示すブロック図である。
【図８】病変別に異なる病変色で複数の病変マークを表示した表示部の表示態様を例示する模式図である。
【図９】被検体内の画像群に含まれる複数種類の病変画像を検出する制御部の処理手順を例示するフローチャートである。
【図１０】実施の形態２にかかる画像表示装置の制御部の処理手順を説明するフローチャートである。
【図１１】スライダの表示色を出血または褪色調の病変色に変更する制御部の動作を説明するための模式図である。
【図１２】本発明の実施の形態３にかかる画像表示装置の一構成例を模式的に示すブロック図である。
【図１３】所望の病変を選択するＧＵＩである病変選択部をさらに表示した表示部の表示態様を例示する模式図である。
【図１４】病変選択部によって示される選択メニューの一具体例を示す模式図である。
【図１５】実施の形態３にかかる画像表示装置の制御部の処理手順を説明するフローチャートである。
【図１６】対象病変に対応する病変マークおよびスライダの病変色を表示する制御部の動作を説明するための模式図である。
【図１７】本発明の実施の形態４にかかる画像表示装置の一構成例を模式的に示すブロック図である。
【図１８】画像の表示モードを選択するＧＵＩであるモード選択部をさらに表示した表示部の表示態様を例示する模式図である。
【図１９】病変再生モードに基づいて主表示領域に被検体内の病変画像を表示する制御を行う制御部の処理手順を説明するフローチャートである。
【図２０】複数種類の病変画像のうちの対象病変を被写体に含む病変画像を主表示領域に表示する制御部の動作を説明するための模式図である。
【符号の説明】
【０２２３】
１  被検体
２  カプセル型内視鏡
３  受信装置
３ａ〜３ｈ  受信アンテナ
４，２４，３４，４４  画像表示装置
５  携帯型記録媒体
１１  入力部
１２  表示部
１３  カードＩ／Ｆ
１４  記憶部
１５，２５，３５，４５  制御部
１５ａ，２５ａ，３５ａ，４５ａ  表示制御部
１５ｂ，２５ｂ  病変検出部
３５ｃ  対象病変設定部
４５ｄ  モード設定部
１００  主表示領域
１１０  タイムバー
１１１  スライダ
１２０  マーク表示領域
１２０ａ，１２０ｂ，１２０ｃ  病変マーク
１３０  表示操作アイコン群
１３１  再生アイコン
１３２  コマ再生アイコン
１３３  頭出しアイコン
１３４  逆再生アイコン
１３５  逆コマ再生アイコン
１３６  逆頭出しアイコン
１４０  副表示領域
１４１  スクロール操作部
１５０  Ｃｌｏｓｅアイコン
１６０  病変選択部
１６１  選択メニュー
１６２  出血選択部
１６３  褪色調選択部
１６４  表示無し選択部
１７０  モード選択部
１７１  通常再生選択部
１７２  病変再生選択部
ＢＬ  出血部位
ＣＬ１，ＣＬ２  表示色情報
Ｅ  褪色調部位
Ｋ  カーソル
ＰＧ  画像群
Ｐn  画像
Ｗ  ウィンドウ
【図１】
2008036028.tif 000003
【図２】
2008036028.tif 000004
【図３】
2008036028.tif 000005
【図４】
2008036028.tif 000006
【図５】
2008036028.tif 000007
【図６】
2008036028.tif 000008
【図７】
2008036028.tif 000009
【図８】
2008036028.tif 000010
【図９】
2008036028.tif 000011
【図１０】
2008036028.tif 000012
【図１１】
2008036028.tif 000013
【図１２】
2008036028.tif 000014
【図１３】
2008036028.tif 000015
【図１４】
2008036028.tif 000016
【図１５】
2008036028.tif 000017
【図１６】
2008036028.tif 000018
【図１７】
2008036028.tif 000019
【図１８】
2008036028.tif 000020
【図１９】
2008036028.tif 000021
【図２０】
2008036028.tif 000022